(57)【特許請求の範囲】
【請求項１】
無線通信システムにおける二重連結動作（ｄｕａｌ  ｃｏｎｎｅｃｔｉｖｉｔｙ  ｏｐｅｒａｔｉｏｎ）を行うための方法において、ＭＭＥ（Ｍｏｂｉｌｉｔｙ  Ｍａｎａｇｅｍｅｎｔ  Ｅｎｔｉｔｙ）により行われる前記方法は、
ユーザ平面（Ｕｓｅｒ  Ｐｌａｎｅ：ＵＰ）経路アップデートと関連した制御メッセージを第１の基地局から受信するステップと、
ベアラ修正（ｂｅａｒｅｒ  ｍｏｄｉｆｉｃａｔｉｏｎ）と関連したメッセージをサービングゲートウェイ（Ｓｅｒｖｉｎｇ  Ｇａｔｅｗａｙ：Ｓ−ＧＷ）と送受信するステップと、
前記制御メッセージに対する応答メッセージを前記第１の基地局に送信するステップと、
を含み、
前記制御メッセージは、変更される少なくとも１つのＥ−ＲＡＢを表すＥ−ＲＡＢ  ＩＤフィールドまたは前記制御メッセージがユーザ平面経路アップデートに関する情報であることを前記ＭＭＥに知らせるための指示（ｉｎｄｉｃａｔｉｏｎ）情報のうち、少なくとも１つを含み、
前記応答メッセージは、前記制御メッセージに含まれたＥ−ＲＡＢ  ＩＤフィールドのうち、変更される少なくとも１つのＥ−ＲＡＢを表すＥ−ＲＡＢ  ＩＤフィールドまたはキャンセルされる少なくとも１つのＥ−ＲＡＢを含むＥ−ＲＡＢリストのうち、少なくとも１つを含むことを特徴とする方法。
【請求項２】
前記制御メッセージは、
第２の基地局と端末との連結確立と関連した第１のメッセージ及び前記第１のメッセージに対する応答が前記第１の基地局と前記第２の基地局との間に送受信された後に、前記第１の基地局から受信されることを特徴とする請求項１に記載の方法。
【請求項３】
前記応答メッセージは、前記制御メッセージに含まれたＥ−ＲＡＢフィールドのうち、変更に失敗した少なくとも１つのＥ−ＲＡＢを含むＥ−ＲＡＢリストをさらに備えることを特徴とする請求項２に記載の方法。
【請求項４】
前記第１のメッセージに対する応答は、Ｅ−ＲＡＢ（Ｅ−ＵＴＲＡＮ  Ｒａｄｉｏ  Ａｃｃｅｓｓ  Ｂｅａｒｅｒ）を表すＥ−ＲＡＢ  ＩＤフィールドを含むことを特徴とする請求項３に記載の方法。
【請求項５】
前記制御メッセージは、スモールセル経路情報通知（Ｓｍａｌｌ  ＣｅｌｌＰａｔｈ  Ｉｎｆｏｒｍａｔｉｏｎ  Ｎｏｔｉｆｙ）メッセージまたはＥ−ＲＡＢ修正指示（Ｍｏｄｉｆｉｃａｔｉｏｎ  Ｉｎｄｉｃａｔｉｏｎ）メッセージであり、及び
前記応答メッセージは、スモールセル経路情報通知応答（Ｓｍａｌｌ  Ｃｅｌｌ  Ｐａｔｈ  Ｉｎｆｏｒｍａｔｉｏｎ  Ｎｏｔｉｆｙ  Ｒｅｓｐｏｎｓｅ）メッセージまたはＥ−ＲＡＢ修正確認（Ｍｏｄｉｆｉｃａｔｉｏｎ  Ｃｏｎｆｉｒｍ）メッセージであることを特徴とする請求項１に記載の方法。
【請求項６】
前記第１のメッセージは、サービス要請（Ｓｅｒｖｉｃｅ  Ｒｅｑｕｅｓｔ）メッセージまたはＳｅＮＢ（Ｓｅｃｏｎｄａｒｙ  ｅＮＢ）追加要請（Ａｄｄｉｔｉｏｎ  Ｒｅｑｕｅｓｔ）メッセージであり、
前記第１のメッセージに対する応答は、サービス要請（Ｓｅｒｖｉｃｅ  Ｒｅｑｕｅｓｔ）ＡＣＫまたはＳｅＮＢ追加（Ａｄｄｉｔｉｏｎ）ＡＣＫであることを特徴とする請求項２に記載の方法。
【請求項７】
異種ネットワーク（Ｈｅｔｅｒｏｇｅｎｅｏｕｓ  Ｎｅｔｗｏｒｋ）で動作する無線装置において、前記無線装置は、
外部と無線信号を送信及び／又は受信する通信部と、
前記通信部と機能的に結合されているプロセッサと、
を備え、
前記プロセッサは、
ユーザ平面（Ｕｓｅｒ  Ｐｌａｎｅ：ＵＰ）経路アップデートと関連した制御メッセージを第１の基地局から受信し、
ベアラ修正（ｂｅａｒｅｒ  ｍｏｄｉｆｉｃａｔｉｏｎ）と関連したメッセージをサービングゲートウェイ（Ｓｅｒｖｉｎｇ  Ｇａｔｅｗａｙ：Ｓ−ＧＷ）と送受信し、及び
前記制御メッセージに対する応答メッセージを前記第１の基地局に送信するように制御し、
前記制御メッセージは、変更される少なくとも１つのＥ−ＲＡＢを表すＥ−ＲＡＢ  ＩＤフィールドまたは前記制御メッセージがユーザ平面経路アップデートに関する情報であることを前記ＭＭＥに知らせるための指示（ｉｎｄｉｃａｔｉｏｎ）情報のうち、少なくとも１つを含み、
前記応答メッセージは、前記制御メッセージに含まれたＥ−ＲＡＢ  ＩＤフィールドのうち、変更される少なくとも１つのＥ−ＲＡＢを表すＥ−ＲＡＢ  ＩＤフィールドまたはキャンセルされる少なくとも１つのＥ−ＲＡＢを含むＥ−ＲＡＢリストのうち、少なくとも１つを含むことを特徴とする無線装置。
【請求項８】
前記制御メッセージは、
第２の基地局と端末との連結確立と関連した第１のメッセージ及び前記第１のメッセージに対する応答が前記第１の基地局と前記第２の基地局との間に送受信された後に、前記第１の基地局から受信されることを特徴とする請求項７に記載の無線装置。
【請求項９】
前記応答メッセージは、前記制御メッセージに含まれたＥ−ＲＡＢフィールドのうち、変更に失敗した少なくとも１つのＥ−ＲＡＢを含むＥ−ＲＡＢリストをさらに備えることを特徴とする請求項８に記載の無線装置。
【請求項１０】
前記第１のメッセージに対する応答は、Ｅ−ＲＡＢ（Ｅ−ＵＴＲＡＮ  Ｒａｄｉｏ  Ａｃｃｅｓｓ  Ｂｅａｒｅｒ）を表すＥ−ＲＡＢ  ＩＤフィールドを含むことを特徴とする請求項９に記載の無線装置。
【発明の詳細な説明】
【技術分野】
【０００１】
本発明は、異種ネットワーク（Ｈｅｔｅｒｏｇｅｎｅｏｕｓ  Ｎｅｔｗｏｒｋ：ＨＮ）における二重連結（ｄｕａｌ  ｃｏｎｎｅｃｔｉｖｉｔｙ：ＤＣ）と関連した動作を遂行するための方法及び装置に関するものである。
【背景技術】
【０００２】
移動通信システムは、ユーザの活動性を保証しながら音声サービスを提供するために開発された。しかしながら、移動通信システムは音声だけでなく、データサービスまで領域を拡張し、現在には爆発的なトラフィックの増加によって資源の不足現象が引き起こされ、ユーザがより高速のサービスを要求するので、より発展した移動通信システムが求められている。
【０００３】
次世代の移動通信システムの要求条件は大きく爆発的なデータトラフィックの収容、ユーザ当たり転送率の画期的な増加、大幅増加した連結デバイス個数の収容、非常に低い端対端遅延（Ｅｎｄ−ｔｏ−Ｅｎｄ  Ｌａｔｅｎｃｙ）、高エネルギー効率をサポートできなければならない。このために、スモールセル性能向上（Ｓｍａｌｌ  Ｃｅｌｌ  Ｅｎｈａｎｃｅｍｅｎｔ）、二重連結性（ｄｕａｌ  ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ−ｂａｎｄ  Ｆｕｌｌ  Ｄｕｐｌｅｘ）、非直交多重接続（ＮＯＭＡ：Ｎｏｎ−Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）サポート、端末ネットワーキング（Ｄｅｖｉｃｅ  Ｎｅｔｗｏｒｋｉｎｇ）など、多様な技術が研究されている。
【発明の概要】
【発明が解決しようとする課題】
【０００４】
本発明の目的は、異種ネットワークにおける二重接続（ｄｕａｌ  ｃｏｎｎｅｃｔｉｖｉｔｙ  ｏｐｅｒａｔｉｏｎ）をより円滑にサポートするために向上したネットワーク動作を提供することにある。
【０００５】
本発明の他の目的は、異種ネットワークにおけるスモールセル（または、ＳｅＮＢ）で提供するサービスを他のスモールセル（または、ＳｅＮＢ）に移動してｄｕａｌ  ｃｏｎｎｅｃｔｉｖｉｔｙ  ｏｐｅｒａｔｉｏｎをサポートするための方法を提供することにある。
【０００６】
本発明の更に他の目的は、異種ネットワークにおけるマクロセル（または、ＭｅＮＢ）で提供するサービスのうち、少なくとも１つのサービスをスモールセル（または、ＳｅＮＢ）に移動してｄｕａｌ  ｃｏｎｎｅｃｔｉｖｉｔｙ  ｏｐｅｒａｔｉｏｎをサポートするための方法を提供することにある。
【０００７】
本発明の更に他の目的は、異種ネットワークにおけるスモールセル（または、ＳｅＮＢ）で提供するサービスをまたマクロセル（または、ＭｅＮＢ）に移動してｄｕａｌ  ｃｏｎｎｅｃｔｉｖｉｔｙ  ｏｐｅｒａｔｉｏｎをサポートするための方法を提供することにある。
【０００８】
本発明が達成しようとする技術的課題は、以上で言及した技術的課題に制限されず、言及しない更に他の技術的課題は以下の記載から本発明が属する技術分野で通常の知識を有する者に明確に理解できる。
【課題を解決するための手段】
【０００９】
本発明は、異種ネットワーク（Ｈｅｔｅｒｏｇｅｎｅｏｕｓ  Ｎｅｔｗｏｒｋ）におけるｄｕａｌ  ｃｏｎｎｅｃｔｉｖｉｔｙ  を遂行するための方法において、第１基地局により遂行される上記方法は、ｄｕａｌ  ｃｏｎｎｅｃｔｉｖｉｔｙ  ｏｐｅｒａｔｉｏｎのために第２基地局に第１メッセージを転送するステップ、及び上記第１メッセージに対する応答を上記第２基地局から受信するステップを含み、上記応答はＥ−ＲＡＢ（Ｅ−ＵＴＲＡＮ  Ｒａｄｉｏ  Ａｃｃｅｓｓ  Ｂｅａｒｅｒ）関連情報を含み、上記Ｅ−ＲＡＢ関連情報はサービス追加、変更、または解除が許容されるＥ−ＲＡＢ（Ｅ−ＲＡＢｓ  Ａｄｍｉｔｔｅｄ  ｔｏ  Ｂｅ  Ａｄｄｅｄ）を示すＥ−ＲＡＢ  ＩＤフィールド、ユーザプレーン（ｕｓｅｒ  ｐｌａｎｅ）転送のために使われるＩＰアドレスを示すＴｒａｎｓｐｏｒｔ  Ｌａｙｅｒ  Ａｄｄｒｅｓｓフィールド、またはユーザプレーン転送のために使われるＧＴＰ（Ｇｅｎｅｒａｌ  Ｐａｃｋｅｔ  Ｒａｄｉｏ  Ｓｅｒｖｉｃｅ  Ｔｕｎｎｅｌｌｉｎｇ  Ｐｒｏｔｏｃｏｌ）−ＴＥＩＤ（Ｔｕｎｎｅｌ  Ｅｎｄｐｏｉｎｔ  Ｉｄｅｎｔｉｆｉｅｒ）フィールドのうち、少なくとも１つを含むことを特徴とする。
【００１０】
上記方法はサービスのユーザプレーン経路変更を知らせるための第２メッセージをＭＭＥ（Ｍｏｂｉｌｉｔｙ  Ｍａｎａｇｅｍｅｎｔ  Ｅｎｔｉｔｙ）に転送するステップ、及び上記ＭＭＥから上記第２メッセージに対する応答を受信するステップをさらに含むことを特徴とする。
【００１１】
上記第２メッセージはＤｏｗｎｌｉｎｋ  Ｉｔｅｍ  ＩＥｓ（Ｉｎｆｏｒｍａｔｉｏｎ  Ｅｌｅｍｅｎｔｓ）で変更されるＥ−ＲＡＢと関連した情報、サービス移動後にサービスを提供するセル、または基地局のＩＤ、サービス移動前にサービスを提供するセル、または基地局のＩＤまたは上記第２メッセージがユーザプレーン経路変更情報であることを上記ＭＭＥに知らせるための指示情報のうち、少なくとも１つを含むことを特徴とする。
【００１２】
上記Ｄｏｗｎｌｉｎｋ  Ｉｔｅｍ  ＩＥｓで変更されるＥ−ＲＡＢと関連した情報はサービス追加（ａｄｄｉｔｉｏｎ）、変更（ｃｈａｎｇｅ）、または解除（ｒｅｌｅａｓｅ）が許容される（ａｄｍｉｔｔｅｄ）Ｅ−ＲＡＢを示すＥ−ＲＡＢ  ＩＤフィールド、ユーザプレーン転送のために使われるＩＰアドレスを示すＴｒａｎｓｐｏｒｔ  Ｌａｙｅｒ  Ａｄｄｒｅｓｓフィールド、またはユーザプレーン転送のために使われるＧＴＰ（Ｇｅｎｅｒａｌ  Ｐａｃｋｅｔ  Ｒａｄｉｏ  Ｓｅｒｖｉｃｅ  Ｔｕｎｎｅｌｌｉｎｇ  Ｐｒｏｔｏｃｏｌ）−ＴＥＩＤ（Ｔｕｎｎｅｌ  Ｅｎｄｐｏｉｎｔ  Ｉｄｅｎｔｉｆｉｅｒ）フィールドのうち、少なくとも１つを含むことを特徴とする。
【００１３】
上記第２メッセージに対する応答はＵｐｌｉｎｋ  Ｉｔｅｍ  ＩＥｓで変更されるＥ−ＲＡＢと関連した情報または解除されるＥ−ＲＡＢリストのうちの少なくとも１つを含み、上記解除されるＥ−ＲＡＢリストはＥＰＣ（Ｅｖｏｌｖｅｄ  Ｐａｃｋｅｔ  Ｃｏｒｅ）が少なくても１つのＥ−ＲＡＢでユーザプレーン経路変更を遂行できなかった場合に含まれることを特徴とする。
【００１４】
上記Ｕｐｌｉｎｋ  Ｉｔｅｍ  ＩＥｓで変更されるＥ−ＲＡＢと関連した情報は、サービス追加、変更、または解除が許容されるＥ−ＲＡＢを示すＥ−ＲＡＢ  ＩＤフィールド、ユーザプレーン転送のために使われるＩＰアドレスを示すＴｒａｎｓｐｏｒｔ  Ｌａｙｅｒ  Ａｄｄｒｅｓｓフィールド、またはユーザプレーン転送のために使われるＧＴＰ（Ｇｅｎｅｒａｌ  Ｐａｃｋｅｔ  Ｒａｄｉｏ  Ｓｅｒｖｉｃｅ  Ｔｕｎｎｅｌｌｉｎｇ  Ｐｒｏｔｏｃｏｌ）−ＴＥＩＤ（Ｔｕｎｎｅｌ  Ｅｎｄｐｏｉｎｔ  Ｉｄｅｎｔｉｆｉｅｒ）フィールドのうち、少なくとも１つを含むことを特徴とする。
【００１５】
上記第１メッセージは、Ｓｅｒｖｉｃｅ  ＲｅｑｕｅｓｔメッセージまたはＳｅＮＢ（Ｓｅｃｏｎｄａｒｙ  ｅＮＢ）Ａｄｄｉｔｉｏｎ  Ｒｅｑｕｅｓｔメッセージであり、上記第１メッセージに対する応答はＳｅｒｖｉｃｅ  Ｒｅｑｕｅｓｔ  ＡＣＫまたはＳｅＮＢ  Ａｄｄｉｔｉｏｎ  Ａｃｋｎｏｗｌｅｄｇｅであることを特徴とする。
【００１６】
上記第２メッセージは、Ｓｍａｌｌ  Ｃｅｌｌ  Ｐａｔｈ  Ｉｎｆｏｒｍａｔｉｏｎ  Ｎｏｔｉｆｙメッセージであり、上記第２メッセージに対する応答はＳｍａｌｌ  Ｃｅｌｌ  Ｐａｔｈ  Ｉｎｆｏｒｍａｔｉｏｎ  Ｎｏｔｉｆｙ  Ｒｅｓｐｏｎｓｅメッセージであることを特徴とする。
【００１７】
上記方法はＳｅｒｖｉｎｇ  Ｇａｔｅｗａｙとサービス関連ｐａｃｋｅｔ  ｄａｔａを交換するステップ、端末と上記サービス関連ｐａｃｋｅｔ  ｄａｔａを交換するステップ、及び上記端末と測定手続（ｍｅａｓｕｒｅｍｅｎｔ  ｐｒｏｃｅｄｕｒｅ）を遂行するステップをさらに含むことを特徴とする。
【００１８】
上記方法は、上記端末に提供しているサービスのうちの少なくとも１つを上記第２基地局にサービスの移動を決定するステップをさらに含むことを特徴とする。
【００１９】
上記方法は、上記第２基地局のサービスを更に他の第２基地局にサービスの移動を決定するステップ、及びサービス不活性（Ｓｅｒｖｉｃｅ  Ｄｅａｃｔｉｖａｔｉｏｎ）を要請する第３メッセージを上記第２基地局に転送するステップをさらに含むことを特徴とする。
【００２０】
上記方法は、上記第２基地局のサービスを上記第１基地局にサービスの移動を決定するステップ、及びサービス不活性（Ｓｅｒｖｉｃｅ  Ｄｅａｃｔｉｖａｔｉｏｎ）を要請する第４メッセージを上記第２基地局に転送するステップをさらに含むことを特徴とする。
【００２１】
上記第１基地局はＭｅＮＢ（Ｍａｓｔｅｒ  ｅＮＢ）であり、上記第２基地局はＳｅＮＢ（Ｓｅｃｏｎｄａｒｙ  ｅＮＢ）であることを特徴とする。
【００２２】
上記方法はｓｅｃｏｎｄ  ｅＮＢにＥ−ＲＡＢ情報通知メッセージを転送するステップをさらに含むことを特徴とする。
【００２３】
上記ｅＮＢにＥ−ＲＡＢ情報通知メッセージは、ｕｐｌｉｎｋ  ｌｉｓｔで変更されなければならないＥ−ＲＡＢまたはリストで解除されなければならないＥ−ＲＡＢを含む。
【００２４】
本発明は、異種ネットワーク（Ｈｅｔｅｒｏｇｅｎｅｏｕｓ  Ｎｅｔｗｏｒｋ）でｄｕａｌ  ｃｏｎｎｅｃｔｉｖｉｔｙを遂行するための方法において、第１基地局により遂行される上記方法は、ｄｕａｌ  ｃｏｎｎｅｃｔｉｖｉｔｙ  ｏｐｅｒａｔｉｏｎのために第２基地局から第１メッセージを受信するステップ、及び上記第１メッセージに対する応答を上記第２基地局に転送するステップを含み、上記応答はＥ−ＲＡＢ（Ｅ−ＵＴＲＡＮ  Ｒａｄｉｏ  Ａｃｃｅｓｓ  Ｂｅａｒｅｒ）関連情報を含み、上記Ｅ−ＲＡＢ関連情報は、サービス追加、変更、または解除が許容されるＥ−ＲＡＢ（Ｅ−ＲＡＢｓ  Ａｄｍｉｔｔｅｄ  ｔｏ  Ｂｅ  Ａｄｄｅｄ）を示すＥ−ＲＡＢ  ＩＤフィールド、ユーザプレーン転送のために使われるＩＰアドレスを示すＴｒａｎｓｐｏｒｔ  Ｌａｙｅｒ  Ａｄｄｒｅｓｓフィールド、またはユーザプレーン転送のために使われるＧＴＰ（Ｇｅｎｅｒａｌ  Ｐａｃｋｅｔ  Ｒａｄｉｏ  Ｓｅｒｖｉｃｅ  Ｔｕｎｎｅｌｌｉｎｇ  Ｐｒｏｔｏｃｏｌ）−ＴＥＩＤ（Ｔｕｎｎｅｌ  Ｅｎｄｐｏｉｎｔ  Ｉｄｅｎｔｉｆｉｅｒ）フィールドのうち、少なくとも１つを含むことを特徴とする。
【００２５】
本発明は、異種ネットワーク（Ｈｅｔｅｒｏｇｅｎｅｏｕｓ  Ｎｅｔｗｏｒｋ）で動作する無線装置において、上記無線装置は外部と無線信号を送信及び／又は受信する通信部、及び上記通信部と機能的に結合されているプロセッサを含み、かつ上記プロセッサは  ｄｕａｌ  ｃｏｎｎｅｃｔｉｖｉｔｙ  ｏｐｅｒａｔｉｏｎのために第２基地局に第１メッセージを転送し、上記第１メッセージに対する応答を上記第２基地局から受信するように制御し、上記応答はＥ−ＲＡＢ（Ｅ−ＵＴＲＡＮ  Ｒａｄｉｏ  Ａｃｃｅｓｓ  Ｂｅａｒｅｒ）関連情報を含み、上記Ｅ−ＲＡＢ関連情報はサービス追加、変更、または解除が許容されるＥ−ＲＡＢ（Ｅ−ＲＡＢｓ  Ａｄｍｉｔｔｅｄ  ｔｏ  Ｂｅ  Ａｄｄｅｄ）を示すＥ−ＲＡＢ  ＩＤフィールド、ユーザプレーン転送のために使われるＩＰアドレスを示すＴｒａｎｓｐｏｒｔ  Ｌａｙｅｒ  Ａｄｄｒｅｓｓフィールド、またはユーザプレーン転送のために使われるＧＴＰ（Ｇｅｎｅｒａｌ  Ｐａｃｋｅｔ  Ｒａｄｉｏ  Ｓｅｒｖｉｃｅ  Ｔｕｎｎｅｌｌｉｎｇ  Ｐｒｏｔｏｃｏｌ）−ＴＥＩＤ（Ｔｕｎｎｅｌ  Ｅｎｄｐｏｉｎｔ  Ｉｄｅｎｔｉｆｉｅｒ）フィールドのうち、少なくとも１つを含むことを特徴とする。
【００２６】
上記プロセッサは、サービスのユーザプレーン経路変更を知らせるための第２メッセージをＭＭＥ（Ｍｏｂｉｌｉｔｙ  Ｍａｎａｇｅｍｅｎｔ  Ｅｎｔｉｔｙ）に転送し、上記ＭＭＥから上記第２メッセージに対する応答を受信するように制御することを特徴とする。
例えば、本願発明は以下の項目を提供する。
（項目１）
異種ネットワーク（Ｈｅｔｅｒｏｇｅｎｅｏｕｓ  Ｎｅｔｗｏｒｋ）でｄｕａｌ  ｃｏｎｎｅｃｔｉｖｉｔｙを遂行するための方法において、第１基地局により遂行される前記方法は、
ｄｕａｌ  ｃｏｎｎｅｃｔｉｖｉｔｙ  ｏｐｅｒａｔｉｏｎのために第２基地局に第１メッセージを転送するステップと、
前記第１メッセージに対する応答を前記第２基地局から受信するステップとを含み、
前記応答はＥ−ＲＡＢ（Ｅ−ＵＴＲＡＮ  Ｒａｄｉｏ  Ａｃｃｅｓｓ  Ｂｅａｒｅｒ）関連情報を含み、
前記Ｅ−ＲＡＢ関連情報は、サービス追加、変更、または解除が許容されるＥ−ＲＡＢ（Ｅ−ＲＡＢｓ  Ａｄｍｉｔｔｅｄ  ｔｏ  Ｂｅ  Ａｄｄｅｄ）を示すＥ−ＲＡＢ  ＩＤフィールド、ユーザプレーン転送のために使われるＩＰアドレスを示すＴｒａｎｓｐｏｒｔ  Ｌａｙｅｒ  Ａｄｄｒｅｓｓフィールド、またはユーザプレーン転送のために使われるＧＴＰ（Ｇｅｎｅｒａｌ  Ｐａｃｋｅｔ  Ｒａｄｉｏ  Ｓｅｒｖｉｃｅ  Ｔｕｎｎｅｌｌｉｎｇ  Ｐｒｏｔｏｃｏｌ）−ＴＥＩＤ（Ｔｕｎｎｅｌ  Ｅｎｄｐｏｉｎｔ  Ｉｄｅｎｔｉｆｉｅｒ）フィールドのうち、少なくとも１つを含むことを特徴とする、方法。
（項目２）
サービスのユーザプレーン経路変更を知らせるための第２メッセージをＭＭＥ（Ｍｏｂｉｌｉｔｙ  Ｍａｎａｇｅｍｅｎｔ  Ｅｎｔｉｔｙ）に転送するステップと、
前記ＭＭＥから前記第２メッセージに対する応答を受信するステップと、
をさらに含むことを特徴とする、項目１に記載の方法。
（項目３）
前記第２メッセージはＤｏｗｎｌｉｎｋ  Ｉｔｅｍ  ＩＥｓ（Ｉｎｆｏｒｍａｔｉｏｎ  Ｅｌｅｍｅｎｔｓ）で変更されるＥ−ＲＡＢと関連した情報、サービス移動後にサービスを提供するセルまたは基地局のＩＤ、サービス移動前に他のサービスを提供するセルまたは基地局のＩＤ、または前記第２メッセージがユーザプレーン経路変更情報であることを前記ＭＭＥに知らせるための指示情報のうち、少なくとも１つを含むことを特徴とする、項目２に記載の方法。
（項目４）
前記Ｄｏｗｎｌｉｎｋ  Ｉｔｅｍ  ＩＥｓで変更されるＥ−ＲＡＢと関連した情報は、サービス追加（ａｄｄｉｔｉｏｎ）、変更（ｃｈａｎｇｅ）、または解除（ｒｅｌｅａｓｅ）が許容される（ａｄｍｉｔｔｅｄ）Ｅ−ＲＡＢを示すＥ−ＲＡＢ  ＩＤフィールド、ユーザプレーン転送のために使われるＩＰアドレスを示すＴｒａｎｓｐｏｒｔ  Ｌａｙｅｒ  Ａｄｄｒｅｓｓフィールド、またはユーザプレーン転送のために使われるＧＴＰ（Ｇｅｎｅｒａｌ  Ｐａｃｋｅｔ  Ｒａｄｉｏ  Ｓｅｒｖｉｃｅ  Ｔｕｎｎｅｌｌｉｎｇ  Ｐｒｏｔｏｃｏｌ）−ＴＥＩＤ（Ｔｕｎｎｅｌ  Ｅｎｄｐｏｉｎｔ  Ｉｄｅｎｔｉｆｉｅｒ）フィールドのうち、少なくとも１つを含むことを特徴とする、項目３に記載の方法。
（項目５）
前記第２メッセージに対する応答はＵｐｌｉｎｋ  Ｉｔｅｍ  ＩＥｓで変更されなければならないＥ−ＲＡＢと関連した情報、または解除されたり失敗されたりするＥ−ＲＡＢリストのうち、少なくとも１つを含み、
前記解除または失敗されるＥ−ＲＡＢリストは、ＥＰＣ（Ｅｖｏｌｖｅｄ  Ｐａｃｋｅｔ  Ｃｏｒｅ）が少なくても１つのＥ−ＲＡＢで成功的にユーザプレーン経路変更を遂行できなかった場合に含まれることを特徴とする、項目４に記載の方法。
（項目６）
前記Ｕｐｌｉｎｋ  Ｉｔｅｍ  ＩＥｓで変更されるＥ−ＲＡＢと関連した情報は、サービス追加、変更、または解除が許容されるＥ−ＲＡＢを示すＥ−ＲＡＢ  ＩＤフィールド、ユーザプレーン転送のために使われるＩＰアドレスを示すＴｒａｎｓｐｏｒｔ  Ｌａｙｅｒ  Ａｄｄｒｅｓｓフィールド、またはユーザプレーン転送のために使われるＧＴＰ（Ｇｅｎｅｒａｌ  Ｐａｃｋｅｔ  Ｒａｄｉｏ  Ｓｅｒｖｉｃｅ  Ｔｕｎｎｅｌｌｉｎｇ  Ｐｒｏｔｏｃｏｌ）−ＴＥＩＤ（Ｔｕｎｎｅｌ  Ｅｎｄｐｏｉｎｔ  Ｉｄｅｎｔｉｆｉｅｒ）フィールドのうち、少なくとも１つを含むことを特徴とする、項目５に記載の方法。
（項目７）
前記第１メッセージはＳｅｒｖｉｃｅ  ＲｅｑｕｅｓｔメッセージまたはＳｅＮＢ（Ｓｅｃｏｎｄａｒｙ  ｅＮＢ）Ａｄｄｉｔｉｏｎ  Ｒｅｑｕｅｓｔメッセージであり、
前記第１メッセージに対する応答はＳｅｒｖｉｃｅ  Ｒｅｑｕｅｓｔ  ＡＣＫ、またはＳｅＮＢ  Ａｄｄｉｔｉｏｎ  Ａｃｋｎｏｗｌｅｄｇｅであることを特徴とする、項目１に記載の方法。
（項目８）
前記第２メッセージは、Ｓｍａｌｌ  Ｃｅｌｌ  Ｐａｔｈ  Ｉｎｆｏｒｍａｔｉｏｎ  ＮｏｔｉｆｙメッセージまたはＥ−ＲＡＢ  Ｍｏｄｉｆｉｃａｔｉｏｎ  Ｉｎｄｉｃａｔｉｏｎメッセージであり、
前記第２メッセージに対する応答はＳｍａｌｌ  Ｃｅｌｌ  Ｐａｔｈ  Ｉｎｆｏｒｍａｔｉｏｎ  Ｎｏｔｉｆｙ  ＲｅｓｐｏｎｓｅメッセージまたはＥ−ＲＡＢ  Ｍｏｄｉｆｉｃａｔｉｏｎ  Ｃｏｎｆｉｒｍメッセージであることを特徴とする、項目２に記載の方法。
（項目９）
Ｓｅｒｖｉｎｇ  Ｇａｔｅｗａｙとサービス関連ｐａｃｋｅｔ  ｄａｔａを交換するステップと、
端末と前記サービス関連ｐａｃｋｅｔ  ｄａｔａを交換するステップと、
前記端末と測定手続（ｍｅａｓｕｒｅｍｅｎｔ  ｐｒｏｃｅｄｕｒｅ）を遂行するステップと、
をさらに含むことを特徴とする、項目１に記載の方法。
（項目１０）
前記端末に提供しているサービスのうちの少なくとも１つを前記第２基地局にサービスの移動を決定するステップをさらに含むことを特徴とする、項目９に記載の方法。
（項目１１）
前記第２基地局のサービスを更に他の第２基地局にサービスの移動を決定するステップと、
サービス不活性（Ｓｅｒｖｉｃｅ  Ｄｅａｃｔｉｖａｔｉｏｎ）または解除（ｒｅｌｅａｓｅ）を要請する第３メッセージを前記第２基地局に転送するステップとをさらに含み、
前記第３メッセージは新たなターゲットｓｅｃｏｎｄ  ｅＮＢに要請が許容された後のみに転送されることを特徴とする、項目９に記載の方法。
（項目１２）
前記第２基地局のサービスを前記第１基地局にサービスの移動を決定するステップと、
サービス不活性（Ｓｅｒｖｉｃｅ  Ｄｅａｃｔｉｖａｔｉｏｎ）または解除（ｒｅｌｅａｓｅ）を要請する第４メッセージを前記第２基地局に転送するステップと、
をさらに含むことを特徴とする、項目９に記載の方法。
（項目１３）
前記第１基地局はＭｅＮＢ（Ｍａｓｔｅｒ  ｅＮＢ）であり、
前記第２基地局はＳｅＮＢ（Ｓｅｃｏｎｄａｒｙ  ｅＮＢ）であることを特徴とする、項目１に記載の方法。
（項目１４）
異種ネットワーク（Ｈｅｔｅｒｏｇｅｎｅｏｕｓ  Ｎｅｔｗｏｒｋ）でｄｕａｌ  ｃｏｎｎｅｃｔｉｖｉｔｙを遂行するための方法において、第１基地局により遂行される前記方法は、
ｄｕａｌ  ｃｏｎｎｅｃｔｉｖｉｔｙ  ｏｐｅｒａｔｉｏｎのために第２基地局から第１メッセージを受信するステップと、
前記第１メッセージに対する応答を前記第２基地局に転送するステップと、を含み、
前記応答はＥ−ＲＡＢ（Ｅ−ＵＴＲＡＮ  Ｒａｄｉｏ  Ａｃｃｅｓｓ  Ｂｅａｒｅｒ）関連情報を含み、
前記Ｅ−ＲＡＢ関連情報は、サービス追加、変更、または解除が許容されるＥ−ＲＡＢ（Ｅ−ＲＡＢｓ  Ａｄｍｉｔｔｅｄ  ｔｏ  Ｂｅ  Ａｄｄｅｄ）を示すＥ−ＲＡＢ  ＩＤフィールド、ユーザプレーン転送のために使われるＩＰアドレスを示すＴｒａｎｓｐｏｒｔ  Ｌａｙｅｒ  Ａｄｄｒｅｓｓフィールド、またはユーザプレーン転送のために使われるＧＴＰ（Ｇｅｎｅｒａｌ  Ｐａｃｋｅｔ  Ｒａｄｉｏ  Ｓｅｒｖｉｃｅ  Ｔｕｎｎｅｌｌｉｎｇ  Ｐｒｏｔｏｃｏｌ）−ＴＥＩＤ（Ｔｕｎｎｅｌ  Ｅｎｄｐｏｉｎｔ  Ｉｄｅｎｔｉｆｉｅｒ）フィールドのうち、少なくとも１つを含むことを特徴とする、方法。
（項目１５）
前記第１メッセージはＳｅｒｖｉｃｅ  ＲｅｑｕｅｓｔメッセージまたはＳｅＮＢ（Ｓｅｃｏｎｄａｒｙ  ｅＮＢ）Ａｄｄｉｔｉｏｎ  Ｒｅｑｕｅｓｔメッセージであり、
前記第１メッセージに対する応答はＳｅｒｖｉｃｅ  Ｒｅｑｕｅｓｔ  ＡＣＫ、またはＳｅＮＢ  Ａｄｄｉｔｉｏｎ  Ａｃｋｎｏｗｌｅｄｇｅであることを特徴とする、項目１４に記載の方法。
（項目１６）
前記第１基地局はＳｅＮＢ（Ｓｅｃｏｎｄａｒｙ  ｅＮＢ）であり、
前記第２基地局はＭｅＮＢ（Ｍａｓｔｅｒ  ｅＮＢ）であることを特徴とする、項目１４に記載の方法。
（項目１７）
異種ネットワーク（Ｈｅｔｅｒｏｇｅｎｅｏｕｓ  Ｎｅｔｗｏｒｋ）で動作する無線装置において、前記無線装置は、
外部と無線信号を送信及び／又は受信する通信部、及び
前記通信部と機能的に結合されているプロセッサを含み、かつ前記プロセッサは、
ｄｕａｌ  ｃｏｎｎｅｃｔｉｖｉｔｙ  ｏｐｅｒａｔｉｏｎ）のために第２基地局に第１メッセージを転送し、
前記第１メッセージに対する応答を前記第２基地局から受信するように制御し、
前記応答はＥ−ＲＡＢ（Ｅ−ＵＴＲＡＮ  Ｒａｄｉｏ  Ａｃｃｅｓｓ  Ｂｅａｒｅｒ）関連情報を含み、
前記Ｅ−ＲＡＢ関連情報は、サービス追加、変更、または解除が許容されるＥ−ＲＡＢ（Ｅ−ＲＡＢｓ  Ａｄｍｉｔｔｅｄ  ｔｏ  Ｂｅ  Ａｄｄｅｄ）を示すＥ−ＲＡＢ  ＩＤフィールド、ユーザプレーン転送のために使われるＩＰアドレスを示すＴｒａｎｓｐｏｒｔ  Ｌａｙｅｒ  Ａｄｄｒｅｓｓフィールド、またはユーザプレーン転送のために使われるＧＴＰ（Ｇｅｎｅｒａｌ  Ｐａｃｋｅｔ  Ｒａｄｉｏ  Ｓｅｒｖｉｃｅ  Ｔｕｎｎｅｌｌｉｎｇ  Ｐｒｏｔｏｃｏｌ）−ＴＥＩＤ（Ｔｕｎｎｅｌ  Ｅｎｄｐｏｉｎｔ  Ｉｄｅｎｔｉｆｉｅｒ）フィールドのうち、少なくとも１つを含むことを特徴とする、無線装置。
（項目１８）
前記プロセッサは、
サービスのユーザプレーン経路変更を知らせるための第２メッセージをＭＭＥ（Ｍｏｂｉｌｉｔｙ  Ｍａｎａｇｅｍｅｎｔ  Ｅｎｔｉｔｙ）に転送し、
前記ＭＭＥから前記第２メッセージに対する応答を受信するように制御することを特徴とする、項目１７に記載の無線装置。
（項目１９）
前記ｓｅｃｏｎｄ  ｅＮＢにＥ−ＲＡＢ情報を知らせるための第４メッセージを転送するステップをさらに含むことを特徴とする、項目２に記載の方法。
（項目２０）
前記第４メッセージはｕｐｌｉｎｋ  ｌｉｓｔで変更されなければならないＥ−ＲＡＢ、またはリストで解除されなければならないＥ−ＲＡＢを含むことを特徴とする、項目１９に記載の方法。
【発明の効果】
【００２７】
本発明は、異種ネットワークにおける基地局間サービス移動時、サービスの経路変更関連事実をＥＰＣに知らせるための手続などを定義することによって、端末の  ｄｕａｌ  ｃｏｎｎｅｃｔｉｖｉｔｙ  ｏｐｅｒａｔｉｏｎをサポートすることができる効果がある。
【００２８】
本発明で得られる効果は、以上で言及した効果に制限されず、言及していない更に他の効果は以下の記載から本発明が属する技術分野で通常の知識を有する者に明確に理解できる。
【図面の簡単な説明】
【００２９】
【図１】本発明が適用できるＬＴＥシステムに関連したＥＰＳ（Ｅｖｏｌｖｅｄ  Ｐａｃｋｅｔ  Ｓｙｓｔｅｍ）の一例を示す図である。
【図２】本発明が適用される無線通信システムを示す。
【図３】本発明が適用できるＥ−ＵＴＲＡＮとＥＰＣとの間の機能分割（ｆｕｎｃｔｉｏｎａｌ  ｓｐｌｉｔ）の一例を示すブロック図である。
【図４Ａ】本発明の技術的特徴が適用できるユーザプレーンに対する無線プロトコル構造（ｒａｄｉｏ  ｐｒｏｔｏｃｏｌ  ａｒｃｈｉｔｅｃｔｕｒｅ）の一例を示すブロック図である。
【図４Ｂ】本発明の技術的特徴が適用できる制御プレーン（ｃｏｎｔｒｏｌ  ｐｌａｎｅ）に対する無線プロトコル構造の一例を示すブロック図である。
【図５】本発明が適用できるＲＲＣ連結を確立する過程を示す流れ図である。
【図６】本発明が適用できるＲＲＣ連結再設定過程を示す流れ図である。
【図７】本発明が適用できるＲＲＣ連結再確立手続の一例を示す図である。
【図８】本発明が適用できる測定遂行方法の一例を示す流れ図である。
【図９】本発明が適用できるマクロ基地局とスモール基地局を含んで構成される異種ネットワークの一例を示す図である。
【図１０】本発明が適用できるスモール基地局運用を示す無線通信システムの一例を示す図である。
【図１１】本発明が適用できる異種ネットワークシステムにおける端末及び基地局の配置の一例を示す概念図である。
【図１２】Ｅ−ＵＴＲＡＮで二重連結（ｄｕａｌ  ｃｏｎｎｅｃｔｉｖｉｔｙ）のための制御プレーンを例示した図である。
【図１３】Ｅ−ＵＴＲＡＮで二重連結（ｄｕａｌ  ｃｏｎｎｅｃｔｉｖｉｔｙ）のためのユーザプレーン構造を例示した図である。
【図１４】Ｅ−ＵＴＲＡＮとＵＥとの間に二重連結のための無線インターフェースプロトコルの構造を例示した図である。
【図１５】Ｅ−ＵＴＲＡＮで二重連結のためのユーザプレーン構造を例示した図である。
【図１６】本発明で提案する方法が適用できるサービス移動と関連したｕｓｅ  ｃａｓｅの一例を示す図である。
【図１７】本発明で提案する方法が適用できるサービス移動と関連した更に他の使用例を示す。
【図１８】本発明で提案する方法が適用できるサービス移動と関連した更に他の使用例を示す。
【図１９】図１６の使用例で発生できるサービス経路変更問題の一例を示す図である。
【図２０】図１７の使用例で発生できるサービス経路変更問題の一例を示す図である。
【図２１】図１８の使用例で発生できるサービス経路変更問題の一例を示す図である。
【図２２】本発明で提案する異種ネットワーク環境で基地局間のサービスの移動を可能にするための方法の一例を示す流れ図である。
【図２３】本発明で提案する異種ネットワーク環境で他のスモールセルにサービスの移動を遂行するための方法の一例を示す流れ図である。
【図２４】本発明で提案する異種ネットワーク環境でマクロ基地局からスモール基地局にサービスの移動を遂行するための方法の一例を示す流れ図である。
【図２５】本発明で提案する異種ネットワーク環境でスモール基地局からマクロ基地局にサービスの移動を遂行するための方法の一例を示す流れ図である。
【図２６】本発明で提案する方法が具現できる無線装置を示す内部ブロック図である。
【発明を実施するための形態】
【００３０】
以下、本発明に従う好ましい実施形態を添付した図面を参照して詳細に説明する。添付した図面と共に以下に開示される詳細な説明は、本発明の例示的な実施形態を説明しようとするものであり、本発明が実施できる唯一の実施形態を示そうとするものでない。以下の詳細な説明は本発明の完全な理解を提供するために具体的な細部事項を含む。しかしながら、当業者は本発明がこのような具体的細部事項無しでも実施できることが分かる。
【００３１】
幾つかの場合、本発明の概念が曖昧になることを避けるために公知の構造及び装置は省略されるか、または各構造及び装置の核心機能を中心にしたブロック図形式に図示できる。
【００３２】
本発明で基地局は端末と直接的に通信を遂行するネットワークの終端ノード（ｔｅｒｍｉｎａｌ  ｎｏｄｅ）としての意味を有する。本文書で基地局により遂行されることと説明された特定の動作は、場合によっては基地局の上位ノード（ｕｐｐｅｒ  ｎｏｄｅ）により遂行されることもできる。即ち、基地局を含む多数のネットワークノード（ｎｅｔｗｏｒｋ  ｎｏｄｅｓ）からなるネットワークにおける端末との通信のために遂行される多様な動作は基地局または基地局の以外の他のネットワークノードにより遂行できることは自明である。‘基地局（ＢＳ：Ｂａｓｅ  Ｓｔａｔｉｏｎ）’は、固定局（ｆｉｘｅｄ  ｓｔａｔｉｏｎ）、Ｎｏｄｅ  Ｂ、ｅＮＢ（ｅｖｏｌｖｅｄ−Ｎｏｄｅ  Ｂ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）、ＭｅＮＢ（Ｍａｃｒｏ  ｅＮＢ  ｏｒ  Ｍａｓｔｅｒ  ｅＮＢ）、ＳｅＮＢ（Ｓｅｃｏｎｄａｒｙ  ｅＮＢ）などの用語により取替できる。
【００３３】
また、‘端末（Ｔｅｒｍｉｎａｌ）’は固定されるか、または移動性を有することができ、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置などの用語に取替できる。
【００３４】
以下、ダウンリンク（ＤＬ：ｄｏｗｎｌｉｎｋ）は基地局から端末への通信を意味し、アップリンク（ＵＬ：ｕｐｌｉｎｋ）は端末から基地局への通信を意味する。ダウンリンクで送信器は基地局の一部であり、受信機は端末の一部でありうる。アップリンクで送信器は端末の一部であり、受信機は基地局の一部でありうる。
【００３５】
以下の説明で使われる特定の用語は本発明の理解を助けるために提供されたものであり、このような特定用語の使用は本発明の技術的思想を逸脱しない範囲で他の形態に変更できる。
【００３６】
以下の技術はＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ−ｏｒｔｈｏｇｏｎａｌ  ｍｕｌｔｉｐｌｅ  ａｃｃｅｓｓ）などの多様な無線接続システムに利用できる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００などの無線技術（ｒａｄｉｏ  ｔｅｃｈｎｏｌｏｇｙ）で具現できる。ＴＤＭＡは、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ（登録商標）  ｅｖｏｌｕｔｉｏｎ）のような無線技術で具現できる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（ｅｖｏｌｖｅｄ  ＵＴＲＡ）などの無線技術で具現できる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇｔｅｒｍ  ｅｖｏｌｕｔｉｏｎ）はＥ−ＵＴＲＡを使用するＥ−ＵＭＴＳ（ｅｖｏｌｖｅｄ  ＵＭＴＳ）の一部であって、ダウンリンクでＯＦＤＭＡを採用し、アップリンクでＳＣ−ＦＤＭＡを採用する。ＬＴＥ−Ａ（ａｄｖａｎｃｅｄ）は３ＧＰＰ  ＬＴＥの進化である。
【００３７】
図１は、本発明が適用できるＬＴＥシステムに関連したＥＰＳ（Ｅｖｏｌｖｅｄ  Ｐａｃｋｅｔ  Ｓｙｓｔｅｍ）の一例を示す図である。
【００３８】
ＬＴＥシステムは、ユーザ端末（ＵＥ）とＰＤＮ（ｐａｃｋ  ｄａｔａ  ｎｅｔｗｏｒｋ）との間にユーザが移動中に最終ユーザの応用プログラム使用に妨害を与えない、かつ絶えないＩＰ連結性（Ｉｎｔｅｒｎｅｔ  Ｐｒｏｔｏｃｏｌ  ｃｏｎｎｅｃｔｉｖｉｔｙ）を提供することを目標とする。ＬＴＥシステムは、ユーザ端末と基地局との間の無線プロトコル構造（ｒａｄｉｏ  ｐｒｏｔｏｃｏｌ  ａｒｃｈｉｔｅｃｔｕｒｅ）を定義するＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を介しての無線接続の進化を完遂し、これはＥＰＣ（Ｅｖｏｌｖｅｄ  Ｐａｃｋｅｔ  Ｃｏｒｅ）ネットワークを含むＳＡＥ（Ｓｙｓｔｅｍ  Ａｒｃｈｉｔｅｃｔｕｒｅ  Ｅｖｏｌｕｔｉｏｎ）により非−無線的側面での進化を通じても達成される。ＬＴＥとＳＡＥは、ＥＰＳ（Ｅｖｏｌｖｅｄ  Ｐａｃｋｅｔ  Ｓｙｓｔｅｍ）を含む。
【００３９】
ＥＰＳはＰＤＮ内でゲートウェイ（ｇａｔｅｗａｙ）からユーザ端末にＩＰトラフィックをルーティングするためにＥＰＳベアラー（ＥＰＳ  ｂｅａｒｅｒｓ）という概念を使用する。ベアラー（ｂｅａｒｅｒ）は上記ゲートウェイとユーザ端末との間に特定のＱｏＳ（Ｑｕａｌｉｔｙ  ｏｆ  Ｓｅｒｖｉｃｅ）を有するＩＰパケットフロー（ＩＰ  ｐａｃｋｅｔ  ｆｌｏｗ）である。Ｅ−ＵＴＲＡＮとＥＰＣは応用プログラムにより要求されるベアラーを共に設定または解除（ｒｅｌｅａｓｅ）する。
【００４０】
ＥＰＣは、ＣＮ（ｃｏｒｅ  ｎｅｔｗｏｒｋ）とも呼ばれ、ＵＥを制御し、ベアラーの設定を管理する。
【００４１】
図１に示すように、上記ＳＡＥのＥＰＣのノード（論理的または物理的ノード）はＭＭＥ（Ｍｏｂｉｌｉｔｙ  Ｍａｎａｇｅｍｅｎｔ  Ｅｎｔｉｔｙ）１０、ＰＤＮ−ＧＷまたはＰ−ＧＷ（ＰＤＮ  ｇａｔｅｗａｙ）３０、Ｓ−ＧＷ（Ｓｅｒｖｉｎｇ  Ｇａｔｅｗａｙ）２０、ＰＣＲＦ（Ｐｏｌｉｃｙ  ａｎｄ  Ｃｈａｒｇｉｎｇ  Ｒｕｌｅｓ  Ｆｕｎｃｔｉｏｎ）４０、ＨＳＳ（Ｈｏｍｅ  ｓｕｂｓｃｒｉｂｅｒ  Ｓｅｒｖｅｒ）５０などを含む。
【００４２】
ＭＭＥ１０はＵＥとＣＮとの間のシグナリングを処理する制御ノードである。ＵＥとＣＮとの間に交換されるプロトコルはＮＡＳ（Ｎｏｎ−Ａｃｃｅｓｓ  Ｓｔｒａｔｕｍ）プロトコルとして知られている。ＭＭＥ１０によりサポートされる機能の一例は、ベアラーの設定、管理、解除を含んでＮＡＳプロトコル内のセッション管理階層（ｓｅｓｓｉｏｎ  ｍａｎａｇｅｍｅｎｔ  ｌａｙｅｒ）により操作されるベアラー管理（ｂｅａｒｅｒ  ｍａｎａｇｅｍｅｎｔ）に関連した機能、ネットワークとＵＥとの間の連結（ｃｏｎｎｅｃｔｉｏｎ）及び保安（Ｓｅｃｕｒｉｔｙ）の設立に含んでＮＡＳプロトコル階層で連結階層または移動制御階層（ｍｏｂｉｌｉｔｙ  ｍａｎａｇｅｍｅｎｔ  ｌａｙｅｒ）により操作される。
【００４３】
Ｓ−ＧＷ２０はＵＥが基地局（ｅＮｏｄｅ  Ｂ）間に移動する時、データベアラーのためのローカル移動性アンカー（ｌｏｃａｌ  ｍｏｂｉｌｉｔｙ  ａｎｃｈｏｒ）の役割をする。全てのユーザＩＰパケットはＳ−ＧＷ２０を通じて送信される。また、Ｓ−ＧＷ２０はＵＥがＥＣＭ−ＩＤＬＥ状態と知られた遊休状態（ｉｄｌｅ  ｓｔａｔｅ）におり、ＭＭＥがベアラーを再設定（ｒｅ−ｅｓｔａｂｌｉｓｈ）するためにＵＥのページングを開示する間、ダウンリンクデータを臨時にバッファリングする時、ベアラーに関連した情報を維持する。また、ＧＲＰＳ（Ｇｅｎｅｒａｌ  Ｐａｃｋｅｔ  Ｒａｄｉｏ  Ｓｅｒｖｉｃｅ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）のような他の３ＧＰＰ技術とのインターワーキング（ｉｎｔｅｒ−ｗｏｒｋｉｎｇ）のための移動性アンカー（ｍｏｂｉｌｉｔｙ  ａｎｃｈｏｒ）の役割を遂行する。
【００４４】
Ｐ−ＧＷ３０は、ＵＥのためのＩＰアドレス割当を遂行し、ＱｏＳ執行（ＱｏＳ  ｅｎｆｏｒｃｅｍｅｎｔ）及びＰＣＲＦ４０からの規則によってフロー−基盤の課金（ｆｌｏｗ−ｂａｓｅｄ  ｃｈａｒｇｉｎｇ）を遂行する。Ｐ−ＧＷ３０は、ＧＢＲベアラー（Ｇｕａｒａｎｔｅｅｄ  Ｂｉｔ  Ｒａｔｅ（ＧＢＲ）ｂｅａｒｅｒｓ）のためのＱｏＳ執行を遂行する。また、ＣＤＭＡ２０００やＷｉＭＡＸネットワークのような非３ＧＰＰ（ｎｏｎ−３ＧＰＰ）技術とのインターワーキングのための移動性アンカー（ｍｏｂｉｌｉｔｙ  ａｎｃｈｏｒ）の役割も遂行する。
【００４５】
ＰＣＲＦ４０は、政策制御意思決定（ｐｏｌｉｃｙ  ｃｏｎｔｒｏｌ  ｄｅｃｉｓｉｏｎ−ｍａｋｉｎｇ）を遂行し、フロー−基盤の課金（ｆｌｏｗ−ｂａｓｅｄ  ｃｈａｒｇｉｎｇ）を遂行する。
【００４６】
ＨＳＳ５０は、ＨＬＲ（Ｈｏｍｅ  Ｌｏｃａｔｉｏｎ  Ｒｅｇｉｓｔｅｒ）とも呼ばれ、ＥＰＳ−ｓｕｂｓｃｒｉｂｅｄ  ＱｏＳプロファイル（ｐｒｏｆｉｌｅ）及びローミングのための接続制御情報などを含むＳＡＥ加入データ（ＳＡＥ  ｓｕｂｓｃｒｉｐｔｉｏｎ  ｄａｔａ）を含む。また、ユーザが接続するＰＤＮに対する情報も含む。このような情報は、ＡＰＮ（Ａｃｃｅｓｓ  Ｐｏｉｎｔ  Ｎａｍｅ）形態に維持できるが、ＡＰＮはＤＮＳ（Ｄｏｍａｉｎ  Ｎａｍｅ  ｓｙｓｔｅｍ）基盤のラベル（ｌａｂｅｌ）で、ＰＤＮに対するアクセスポイントまたは加入したＩＰアドレスを示すＰＤＮアドレスを説明する識別技法である。
【００４７】
図１に示すように、ＥＰＳネットワーク要素（ＥＰＳ  ｎｅｔｗｏｒｋ  ｅｌｅｍｅｎｔｓ）の間にはＳ１−Ｕ、Ｓ１−ＭＭＥ、Ｓ５／Ｓ８、Ｓ１１、Ｓ６ａ、Ｇｘ、Ｒｘ、及びＳＧのような多様なインターフェースが定義できる。
【００４８】
以下、移動性管理（ｍｏｂｉｌｉｔｙ  ｍａｎａｇｅｍｅｎｔ：ＭＭ）の概念と移動性管理（ＭＭ）バックオフタイマー（ｂａｃｋ−ｏｆｆ  ｔｉｍｅｒ）を詳細に説明する。移動性管理（ＭＭ）は、Ｅ−ＵＴＲＡＮ上のオーバーヘッドとＵＥでのプロセシングを減少させるための手続である。
【００４９】
移動性管理（ＭＭ）が適用される場合、アクセスネットワークにおけるＵＥに関連した全ての情報はデータが不活性化される期間の間解除できる。ＭＭＥは、上記アイドル（Ｉｄｌｅ）区間の間ＵＥコンテキスト（ｃｏｎｔｅｘｔ）及び設定されたベアラーに関連した情報を維持することができる。
【００５０】
ネットワークがＥＣＭ−ＩＤＬＥ状態にあるＵＥに接触できるように、ＵＥは現在のＴＡ（Ｔｒａｃｋｉｎｇ  Ａｒｅａ）を逸脱する度にネットワークに新たな位置に関して知らせることができる。このような手続は“Ｔｒａｃｋｉｎｇ  Ａｒｅａ  Ｕｐｄａｔｅ”と呼ばれることができ、この手続はＵＴＲＡＮ（ｕｎｉｖｅｒｓａｌ  ｔｅｒｒｅｓｔｒｉａｌ  ｒａｄｉｏ  ａｃｃｅｓｓ  ｎｅｔｗｏｒｋ）やＧＥＲＡＮ（ＧＳＭ（登録商標）  ＥＤＧＥ  Ｒａｄｉｏ  Ａｃｃｅｓｓ  Ｎｅｔｗｏｒｋ）システムで“Ｒｏｕｔｉｎｇ  Ａｒｅａ  Ｕｐｄａｔｅ”と呼ばれることができる。ＭＭＥは、ＵＥがＥＣＭ−ＩＤＬＥ状態にある間ユーザ位置を追跡する機能を遂行する。
【００５１】
ＥＣＭ−ＩＤＬＥ状態にあるＵＥに伝達しなければならないダウンリンクデータがある場合、ＭＭＥはＵＥが登録されたＴＡ（ｔｒａｃｋｉｎｇ  ａｒｅａ）上の全ての基地局（ｅＮｏｄｅ  Ｂ）にページングメッセージを送信する。
【００５２】
次に、基地局は無線インターフェース（ｒａｄｉｏ  ｉｎｔｅｒｆａｃｅ）上にＵＥに対してページングを始める。ページングメッセージが受信されることによって、ＵＥの状態がＥＣＭ−ＣＯＮＮＥＣＴＥＤ状態に遷移するようにする手続を遂行する。このような手続は“Ｓｅｒｖｉｃｅ  Ｒｅｑｕｅｓｔ  Ｐｒｏｃｅｄｕｒｅ”と呼ばれることができる。これによって、ＵＥに関連した情報はＥ−ＵＴＲＡＮで生成され、全てのベアラーは再設定（ｒｅ−ｅｓｔａｂｌｉｓｈ）される。ＭＭＥはラジオベアラー（ｒａｄｉｏ  ｂｅａｒｅｒ）の再設定と、基地局上でＵＥコンテキストを更新する役割を遂行する。
【００５３】
前述した移動性管理（ＭＭ）手続が遂行される場合、ＭＭ（ｍｏｂｉｌｉｔｙ  ｍａｎａｇｅｍｅｎｔ）バックオフタイマーがさらに使用できる。具体的に、ＵＥはＴＡを更新するためにＴＡＵ（Ｔｒａｃｋｉｎｇ  Ａｒｅａ  Ｕｐｄａｔｅ）を送信することができ、ＭＭＥは核心網の混雑（ｃｏｒｅ  ｎｅｔｗｏｒｋ  ｃｏｎｇｅｓｔｉｏｎ）によってＴＡＵ要請を拒絶することができるが、この場合、ＭＭバックオフタイマーに関連した時間値を提供することができる。該当時間値を受信することによって、ＵＥはＭＭバックオフタイマーを活性化させることができる。
【００５４】
図２は、本発明が適用される無線通信システムを示す。
【００５５】
これは、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）、またはＬＴＥ（Ｌｏｎｇ  Ｔｅｒｍ  Ｅｖｏｌｕｔｉｏｎ）／ＬＴＥ−Ａシステムとも呼ばれることができる。
【００５６】
Ｅ−ＵＴＲＡＮは、端末１０（Ｕｓｅｒ  Ｅｑｕｉｐｍｅｎｔ：ＵＥ）に制御プレーン（ｃｏｎｔｒｏｌ  ｐｌａｎｅ）とユーザプレーン（ｕｓｅｒ  ｐｌａｎｅ）を提供する基地局２０（Ｂａｓｅ  Ｓｔａｔｉｏｎ：ＢＳ）を含む。
【００５７】
基地局２０は、Ｘ２インターフェースを介して互いに連結できる。基地局２０は、Ｓ１インターフェースを介してＥＰＣ（Ｅｖｏｌｖｅｄ  Ｐａｃｋｅｔ  Ｃｏｒｅ）、より詳しくは、Ｓ１−ＭＭＥを通じてＭＭＥ（Ｍｏｂｉｌｉｔｙ  Ｍａｎａｇｅｍｅｎｔ  Ｅｎｔｉｔｙ）とＳ１−Ｕを通じてＳ−ＧＷ（Ｓｅｒｖｉｎｇ  Ｇａｔｅｗａｙ）と連結される。
【００５８】
ＥＰＣは、ＭＭＥ、Ｓ−ＧＷ、及びＰ−ＧＷ（Ｐａｃｋｅｔ  Ｄａｔａ  Ｎｅｔｗｏｒｋ−Ｇａｔｅｗａｙ）で構成される。ＭＭＥは、端末の接続情報や端末の能力に関する情報を有しており、このような情報は端末の移動性管理に主に使われる。Ｓ−ＧＷはＥ−ＵＴＲＡＮを終端点として有するゲートウェイであり、Ｐ−ＧＷはＰＤＮを終端点として有するゲートウェイである。
【００５９】
端末とネットワークとの間の無線インターフェースプロトコル（Ｒａｄｉｏ  Ｉｎｔｅｒｆａｃｅ  Ｐｒｏｔｏｃｏｌ）の階層は通信システムで広く知られた開放型システム間相互接続（Ｏｐｅｎ  Ｓｙｓｔｅｍ  Ｉｎｔｅｒｃｏｎｎｅｃｔｉｏｎ：ＯＳＩ）基準モデルの下位３個の階層に基づいてＬ１（第１階層）、Ｌ２（第２階層）、及びＬ３（第３階層）に区分できるが、そのうち、第１階層に属する物理階層は物理チャンネル（Ｐｈｙｓｉｃａｌ  Ｃｈａｎｎｅｌ）を用いた情報転送サービス（Ｉｎｆｏｒｍａｔｉｏｎ  Ｔｒａｎｓｆｅｒ  Ｓｅｒｖｉｃｅ）を提供し、第３階層に位置するＲＲＣ（Ｒａｄｉｏ  Ｒｅｓｏｕｒｃｅ  Ｃｏｎｔｒｏｌ）階層は端末とネットワークとの間に無線資源を制御する役割を遂行する。このために、ＲＲＣ階層は端末と基地局との間のＲＲＣメッセージを交換する。
【００６０】
図３は、本発明が適用できるＥ−ＵＴＲＡＮとＥＰＣとの間の機能分割（ｆｕｎｃｔｉｏｎａｌ  ｓｐｌｉｔ）の一例を示すブロック図である。
【００６１】
図３を参照すると、斜線を施したブロックは無線プロトコル階層（ｒａｄｉｏ  ｐｒｏｔｏｃｏｌ  ｌａｙｅｒ）を示し、空のブロックは制御プレーンの機能的個体（ｆｕｎｃｔｉｏｎａｌ  ｅｎｔｉｔｙ）を示す。
【００６２】
基地局は、次のような機能を遂行する。（１）無線ベアラー制御（Ｒａｄｉｏ  Ｂｅａｒｅｒ  Ｃｏｎｔｒｏｌ）、無線許諾制御（Ｒａｄｉｏ  Ａｄｍｉｓｓｉｏｎ  Ｃｏｎｔｒｏｌ）、連結移動性制御（Ｃｏｎｎｅｃｔｉｏｎ  Ｍｏｂｉｌｉｔｙ  Ｃｏｎｔｒｏｌ）、端末への動的資源割当（ｄｙｎａｍｉｃ  ｒｅｓｏｕｒｃｅ  ａｌｌｏｃａｔｉｏｎ）のような無線資源管理（Ｒａｄｉｏ  Ｒｅｓｏｕｒｃｅ  Ｍａｎａｇｅｍｅｎｔ：ＲＲＭ）機能、（２）ＩＰ（Ｉｎｔｅｒｎｅｔ  Ｐｒｏｔｏｃｏｌ）ヘッダ圧縮及びユーザデータストリームの解読（ｅｎｃｒｙｐｔｉｏｎ）、（３）Ｓ−ＧＷへのユーザプレーンデータのルーティング（ｒｏｕｔｉｎｇ）、（４）ページング（ｐａｇｉｎｇ）メッセージのスケジューリング及び転送、（５）ブロードキャスト（ｂｒｏａｄｃａｓｔ）情報のスケジューリング及び転送、（６）移動性とスケジューリングのための測定と測定報告設定。
【００６３】
ＭＭＥは、次のような機能を遂行する。（１）基地局にページングメッセージの分散、（２）保安制御（Ｓｅｃｕｒｉｔｙ  Ｃｏｎｔｒｏｌ）、（３）アイドル状態移動性制御（Ｉｄｌｅ  Ｓｔａｔｅ  Ｍｏｂｉｌｉｔｙ  Ｃｏｎｔｒｏｌ）、（４）ＳＡＥベアラー制御、（５）ＮＡＳ（Ｎｏｎ−Ａｃｃｅｓｓ  Ｓｔｒａｔｕｍ）シグナリングの暗号化（Ｃｉｐｈｅｒｉｎｇ）及び無欠保護（Ｉｎｔｅｇｒｉｔｙ  Ｐｒｏｔｅｃｔｉｏｎ）。
【００６４】
Ｓ−ＧＷは、次のような機能を遂行する。（１）ページングに対するユーザプレーンパケットの終点（ｔｅｒｍｉｎａｔｉｏｎ）、（２）端末移動性のサポートのためのユーザプレーンスイッチング。
図４Ａは本発明の技術的特徴が適用できるユーザプレーンに対する無線プロトコル構造（ｒａｄｉｏ  ｐｒｏｔｏｃｏｌ  ａｒｃｈｉｔｅｃｔｕｒｅ）の一例を示し、図４Ｂは本発明の技術的特徴が適用できる制御プレーン（ｃｏｎｔｒｏｌ  ｐｌａｎｅ）に対する無線プロトコル構造の一例を示すブロック図である。
【００６５】
ユーザプレーンはユーザデータ転送のためのプロトコルスタック（ｐｒｏｔｏｃｏｌ  ｓｔａｃｋ）であり、制御プレーンは制御信号転送のためのプロトコルスタックである。
【００６６】
図４Ａ及び４Ｂを参照すると、物理階層（ＰＨＹ（ｐｈｙｓｉｃａｌ）ｌａｙｅｒ）は物理チャンネル（ｐｈｙｓｉｃａｌ  ｃｈａｎｎｅｌ）を用いて上位階層に情報転送サービス（ｉｎｆｏｒｍａｔｉｏｎ  ｔｒａｎｓｆｅｒ  ｓｅｒｖｉｃｅ）を提供する。物理階層は上位階層であるＭＡＣ（Ｍｅｄｉｕｍ  Ａｃｃｅｓｓ  Ｃｏｎｔｒｏｌ）階層とは転送チャンネル（ｔｒａｎｓｐｏｒｔ  ｃｈａｎｎｅｌ）を介して連結されている。転送チャンネルを介してＭＡＣ階層と物理階層との間にデータが移動する。転送チャンネルは無線インターフェースを介してデータがどのように、どんな特徴として転送されるかによって分類される。
【００６７】
互いに異なる物理階層の間、即ち送信器と受信機の物理階層の間は物理チャンネルを介してデータが移動する。上記物理チャンネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式により変調されることができ、時間と周波数を無線資源に活用する。
【００６８】
ＭＡＣ階層の機能は論理チャンネルと転送チャンネルとの間のマッピング及び論理チャンネルに属するＭＡＣ  ＳＤＵ（ｓｅｒｖｉｃｅ  ｄａｔａ  ｕｎｉｔ）の転送チャンネル上に物理チャンネルに提供される転送ブロック（ｔｒａｎｓｐｏｒｔ  ｂｌｏｃｋ）への多重化／逆多重化（‘／’の意味は‘ｏｒ’と‘ａｎｄ’の概念を全て含む）を含む。ＭＡＣ階層は論理チャンネルを介してＲＬＣ（Ｒａｄｉｏ  Ｌｉｎｋ  Ｃｏｎｔｒｏｌ）階層にサービスを提供する。
【００６９】
ＲＬＣ階層の機能はＲＬＣ  ＳＤＵの連結（ｃｏｎｃａｔｅｎａｔｉｏｎ）、分割（ｓｅｇｍｅｎｔａｔｉｏｎ）、及び再結合（ｒｅａｓｓｅｍｂｌｙ）を含む。無線ベアラー（Ｒａｄｉｏ  Ｂｅａｒｅｒ：ＲＢ）が要求する多様なＱｏＳ（Ｑｕａｌｉｔｙ  ｏｆ  Ｓｅｒｖｉｃｅ）を保証するために、ＲＬＣ階層は透明モード（Ｔｒａｎｓｐａｒｅｎｔ  Ｍｏｄｅ：ＴＭ）、非確認モード（Ｕｎａｃｋｎｏｗｌｅｄｇｅｄ  Ｍｏｄｅ：ＵＭ）、及び確認モード（Ａｃｋｎｏｗｌｅｄｇｅｄ  Ｍｏｄｅ：ＡＭ）の３種類の動作モードを提供する。ＡＭ  ＲＬＣは、ＡＲＱ（ａｕｔｏｍａｔｉｃ  ｒｅｐｅａｔ  ｒｅｑｕｅｓｔ）を通じて誤り訂正を提供する。
【００７０】
ＲＲＣ（Ｒａｄｉｏ  Ｒｅｓｏｕｒｃｅ  Ｃｏｎｔｒｏｌ）階層は制御プレーンのみで定義される。ＲＲＣ階層は無線ベアラーの設定（ｃｏｎｆｉｇｕｒａｔｉｏｎ）、再設定（ｒｅ−ｃｏｎｆｉｇｕｒａｔｉｏｎ）、及び解除（ｒｅｌｅａｓｅ）と関連して論理チャンネル、転送チャンネル、及び物理チャンネルの制御を担当する。ＲＢは、端末とネットワークとの間のデータ伝達のために第１階層（ＰＨＹ階層）及び第２階層（ＭＡＣ階層、ＲＬＣ階層、ＰＤＣＰ階層）により提供される論理的経路を意味する。
【００７１】
ユーザプレーンでのＰＤＣＰ（Ｐａｃｋｅｔ  Ｄａｔａ  Ｃｏｎｖｅｒｇｅｎｃｅ  Ｐｒｏｔｏｃｏｌ）階層の機能はユーザデータの伝達、ヘッダ圧縮（ｈｅａｄｅｒ  ｃｏｍｐｒｅｓｓｉｏｎ）、及び暗号化（ｃｉｐｈｅｒｉｎｇ）を含む。制御プレーンでのＰＤＣＰ（Ｐａｃｋｅｔ  Ｄａｔａ  Ｃｏｎｖｅｒｇｅｎｃｅ  Ｐｒｏｔｏｃｏｌ）階層の機能は制御プレーンデータの伝達及び暗号化／無欠性保護（ｉｎｔｅｇｒｉｔｙ  ｐｒｏｔｅｃｔｉｏｎ）を含む。
【００７２】
ＲＢが設定されるということは、特定サービスを提供するために無線プロトコル階層及びチャンネルの特性を規定し、各々の具体的なパラメータ及び動作方法を設定する過程を意味する。また、ＲＢはＳＲＢ（Ｓｉｇｎａｌｉｎｇ  ＲＢ）とＤＲＢ（Ｄａｔａ  ＲＢ）の２つに分けられる。ＳＲＢは、制御プレーンでＲＲＣメッセージを転送する通路に使われ、ＤＲＢはユーザプレーンでユーザデータを転送する通路に使われる。
【００７３】
端末のＲＲＣ階層とＥ−ＵＴＲＡＮのＲＲＣ階層との間にＲＲＣ連結（ＲＲＣ  Ｃｏｎｎｅｃｔｉｏｎ）が確立されれば、端末はＲＲＣ連結（ＲＲＣ  ｃｏｎｎｅｃｔｅｄ）状態にあるようになり、そうでない場合、ＲＲＣアイドル（ＲＲＣ  ｉｄｌｅ）状態にいるようになる。
【００７４】
ネットワークにおける端末にデータを転送するダウンリンク転送チャンネルにはシステム情報を転送するＢＣＨ（Ｂｒｏａｄｃａｓｔ  Ｃｈａｎｎｅｌ）とその以外にユーザトラフィックや制御メッセージを転送するダウンリンクＳＣＨ（Ｓｈａｒｅｄ  ｃｈａｎｎｅｌ）がある。ダウンリンクマルチキャストまたはブロードキャストサービスのトラフィックまたは制御メッセージの場合、ダウンリンクＳＣＨを介して転送されることもでき、または別途のダウンリンクＭＣＨ（Ｍｕｌｔｉｃａｓｔ  Ｃｈａｎｎｅｌ）を介して転送されることもできる。一方、端末からネットワークにデータを転送するアップリンク転送チャンネルには、初期制御メッセージを転送するＲＡＣＨ（Ｒａｎｄｏｍ  Ａｃｃｅｓｓ  Ｃｈａｎｎｅｌ）と、その以外にユーザトラフィックや制御メッセージを転送するアップリンクＳＣＨ（Ｓｈａｒｅｄ  ｃｈａｎｎｅｌ）がある。
【００７５】
転送チャンネル上位におり、転送チャンネルにマッピングされる論理チャンネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００７６】
物理チャンネル（Ｐｈｙｓｉｃａｌ  Ｃｈａｎｎｅｌ）は、時間領域で多数個のＯＦＤＭシンボルと、周波数領域で多数個の副搬送波（Ｓｕｂ−ｃａｒｒｉｅｒ）から構成される。１つのサブフレーム（Ｓｕｂ−ｆｒａｍｅ）は時間領域で複数のＯＦＤＭシンボル（Ｓｙｍｂｏｌ）から構成される。資源ブロックは資源割当単位で、複数のＯＦＤＭシンボルと複数の副搬送波（ｓｕｂ−ｃａｒｒｉｅｒ）から構成される。また、各サブフレームはＰＤＣＣＨ（Ｐｈｙｓｉｃａｌ  Ｄｏｗｎｌｉｎｋ  Ｃｏｎｔｒｏｌ  Ｃｈａｎｎｅｌ）、即ちＬ１／Ｌ２制御チャンネルのために該当サブフレームの特定ＯＦＤＭシンボル（例：最初のＯＦＤＭシンボル）の特定副搬送波を用いることができる。ＴＴＩ（Ｔｒａｎｓｍｉｓｓｉｏｎ  Ｔｉｍｅ  Ｉｎｔｅｒｖａｌ）はサブフレーム転送の単位時間である。
【００７７】
以下、端末のＲＲＣ状態（ＲＲＣ  ｓｔａｔｅ）とＲＲＣ連結方法について詳述する。
【００７８】
ＲＲＣ状態とは、端末のＲＲＣ階層がＥ−ＵＴＲＡＮのＲＲＣ階層と論理的連結（ｌｏｇｉｃａｌ  ｃｏｎｎｅｃｔｉｏｎ）されているか否かをいい、連結されている場合はＲＲＣ連結状態、連結されていない場合はＲＲＣアイドル状態と呼ぶ。ＲＲＣ連結状態の端末はＲＲＣ連結が存在するため、Ｅ−ＵＴＲＡＮは該当端末の存在をセル単位で把握することができ、したがって、端末を効果的に制御することができる。
【００７９】
一方、ＲＲＣアイドル状態の端末はＥ−ＵＴＲＡＮが把握することはできず、セルより大きい地域単位であるトラッキング区域（Ｔｒａｃｋｉｎｇ  Ａｒｅａ）単位でＣＮ（ｃｏｒｅ  ｎｅｔｗｏｒｋ）が管理する。即ち、ＲＲＣアイドル状態の端末は大きい地域単位で存否のみ把握され、音声やデータのような通常の移動通信サービスを受けるためにはＲＲＣ連結状態に移動しなければならない。
【００８０】
ユーザが端末の電源を最初に入れた時、端末は先に適切なセルを探索した後、該当セルでＲＲＣアイドル状態に止まる。ＲＲＣアイドル状態の端末はＲＲＣ連結を結ばれる必要がある時、始めてＲＲＣ連結過程（ＲＲＣ  ｃｏｎｎｅｃｔｉｏｎ  ｐｒｏｃｅｄｕｒｅ）を通じてＥ−ＵＴＲＡＮとＲＲＣ連結を確立し、ＲＲＣ連結状態に遷移する。ＲＲＣアイドル状態にいた端末がＲＲＣ連結を結ばれる必要がある場合はいろいろあるが、例えばユーザの通話試みなどの理由により上向きデータ転送が必要であるか、でなければＥ−ＵＴＲＡＮから呼び出し（ｐａｇｉｎｇ）メッセージを受信した場合、これに対する応答メッセージ転送などが挙げられる。
【００８１】
図５は、本発明が適用できるＲＲＣ連結を確立する過程を示す流れ図である。
【００８２】
端末はＲＲＣ連結を要請するＲＲＣ連結要請（ＲＲＣ  Ｃｏｎｎｅｃｔｉｏｎ  Ｒｅｑｕｅｓｔ）メッセージをネットワークに送る（Ｓ５１０）。ネットワークは、ＲＲＣ連結要請に対する応答としてＲＲＣ連結設定（ＲＲＣ  Ｃｏｎｎｅｃｔｉｏｎ  Ｓｅｔｕｐ）メッセージを送る（Ｓ５２０）。ＲＲＣ連結設定メッセージを受信した後、端末はＲＲＣ連結モードに進入する。
【００８３】
端末はＲＲＣ連結確立の成功的な完了を確認するために使われるＲＲＣ連結設定完了（ＲＲＣ  Ｃｏｎｎｅｃｔｉｏｎ  Ｓｅｔｕｐ  Ｃｏｍｐｌｅｔｅ）メッセージをネットワークに送る（Ｓ５３０）。
【００８４】
図６は、本発明が適用できるＲＲＣ連結再設定過程を示す流れ図である。
【００８５】
ＲＲＣ連結再設定（ｒｅｃｏｎｆｉｇｕｒａｔｉｏｎ）は、ＲＲＣ連結を修正することに使われる。これはＲＢ確立／修正（ｍｏｄｉｆｙ）／解除（ｒｅｌｅａｓｅ）、ハンドオーバー遂行、測定セットアップ／修正／解除するために使われる。
【００８６】
ネットワークは端末にＲＲＣ連結を修正するためのＲＲＣ連結再設定（ＲＲＣ  Ｃｏｎｎｅｃｔｉｏｎ  Ｒｅｃｏｎｆｉｇｕｒａｔｉｏｎ）メッセージを送る（Ｓ６１０）。端末はＲＲＣ連結再設定に対する応答としてＲＲＣ連結再設定の成功的な完了を確認するために使われるＲＲＣ連結再設定完了（ＲＲＣ  Ｃｏｎｎｅｃｔｉｏｎ  Ｒｅｃｏｎｆｉｇｕｒａｔｉｏｎ  Ｃｏｍｐｌｅｔｅ）メッセージをネットワークに送る（Ｓ６２０）。
【００８７】
次に、端末がセルを選択する手続について詳細に説明する。
【００８８】
電源が入るか、またはセルに止まっている時、端末は適切な品質のセルを選択／再選択してサービスを受けるための手続を遂行する。
【００８９】
ＲＲＣアイドル状態の端末は常に適切な品質のセルを選択して、このセルを通じてサービスの提供を受けるための準備をしていなければならない。例えば、電源がちょうど入った端末はネットワークに登録するために適切な品質のセルを選択しなければならない。ＲＲＣ連結状態にいた上記端末がＲＲＣアイドル状態に進入すれば、上記端末はＲＲＣアイドル状態で止まるセルを選択しなければならない。このように、上記端末がＲＲＣアイドル状態のようなサービス待機状態に止まっているためにどんな条件を満たすセルを選択する過程をセル選択（Ｃｅｌｌ  Ｓｅｌｅｃｔｉｏｎ）という。重要な点は、上記セル選択は上記端末が上記ＲＲＣアイドル状態に止まっているセルを現在決定できなかった状態で遂行するものであるので、できる限り速かにセルを選択することが重要である。
【００９０】
したがって、一定基準以上の無線信号品質を提供するセルであれば、たとえこのセルが端末に最も良い無線信号品質を提供するセルでないとしても、端末のセル選択過程で選択できる。
【００９１】
ここに、３ＧＰＰ  ＴＳ  ３６．３０４  Ｖ８．５．０（２００９−０３）“Ｕｓｅｒ  Ｅｑｕｉｐｍｅｎｔ（ＵＥ）ｐｒｏｃｅｄｕｒｅｓ  ｉｎ  ｉｄｌｅ  ｍｏｄｅ（Ｒｅｌｅａｓｅ  ８）”を参照して、３ＧＰＰ  ＬＴＥで端末がセルを選択する方法及び手続について詳述する。
【００９２】
セル選択過程は２つに大別される。
【００９３】
まず、初期セル選択過程であって、この過程では上記端末が無線チャンネルに対する事前情報がない。したがって、上記端末は適切なセルを探すために全ての無線チャンネルを検索する。各チャンネルで上記端末は最も強いセルを探す。以後、上記端末がセル選択基準を満たす適切な（ｓｕｉｔａｂｌｅ）セルを探しさえすれば該当セルを選択する。
【００９４】
次に、端末は格納された情報を活用するか、セルで放送している情報を活用してセルを選択することができる。したがって、初期セル選択過程に比べてセル選択が迅速になることができる。端末がセル選択基準を満たすセルを探しさえすれば該当セルを選択する。仮に、この過程を通じてセル選択基準を満たす適切なセルを探せなければ、端末は初期セル選択過程を遂行する。
【００９５】
上記端末が一旦セル選択過程を通じて、あるセルを選択した以後、端末の移動性または無線環境の変化などにより端末と基地局との間の信号の強さや品質が変わることがある。したがって、仮に選択したセルの品質が低下する場合、端末はより良い品質を提供する他のセルを選択することができる。このようにセルをまた選択する場合、一般的に現在選択されたセルより良い信号品質を提供するセルを選択する。
【００９６】
このような過程をセル再選択（Ｃｅｌｌ  Ｒｅｓｅｌｅｃｔｉｏｎ）という。上記セル再選択過程は、無線信号の品質観点から、一般的に端末に最も良い品質を提供するセルを選択することに基本的な目的がある。
【００９７】
無線信号の品質観点の以外に、ネットワークは周波数別に優先順位を決定して端末に知らせることができる。このような優先順位を受信した端末は、セル再選択過程でこの優先順位を無線信号品質基準より優先的に考慮するようになる。
【００９８】
上記のように、無線環境の信号特性によってセルを選択または再選択する方法があり、セル再選択時、再選択のためのセルを選択するにあたって、セルのＲＡＴと周波数（ｆｒｅｑｕｅｎｃｙ）特性によって次のようなセル再選択方法がありうる。
【００９９】
−イントラ−周波数（Ｉｎｔｒａ−ｆｒｅｑｕｅｎｃｙ）セル再選択：端末がキャンピング（ｃａｍｐ）中のセルのようなＲＡＴと同一な中心周波数（ｃｅｎｔｅｒ−ｆｒｅｑｕｅｎｃｙ）を有するセルを再選択
−インター−周波数（Ｉｎｔｅｒ−ｆｒｅｑｕｅｎｃｙ）セル再選択：端末がキャンピング中のセルのようなＲＡＴと異なる中心周波数を有するセルを再選択
−インター−ＲＡＴ（Ｉｎｔｅｒ−ＲＡＴ）セル再選択：端末がキャンピング中のＲＡＴと異なるＲＡＴを使用するセルを再選択
【０１００】
以下、ＲＲＣ連結再確立（ＲＲＣ  ｃｏｎｎｅｃｔｉｏｎ  ｒｅ−ｅｓｔａｂｌｉｓｈｍｅｎｔ）手続についてより詳細に説明する。
【０１０１】
図７は、本発明が適用できるＲＲＣ連結再確立手続の一例を示す図である。
【０１０２】
図７を参照すると、端末はＳＲＢ  ０（Ｓｉｇｎａｌｉｎｇ  Ｒａｄｉｏ  Ｂｅａｒｅｒ  ＃０）を除外した設定されていた全ての無線ベアラー（ｒａｄｉｏ  ｂｅａｒｅｒ）の使用を中断し、ＡＳ（Ａｃｃｅｓｓ  Ｓｔｒａｔｕｍ）の各種副階層（ｓｕｂ−ｌａｙｅｒ）を初期化させる（Ｓ７１０）。また、各副階層及び物理階層を基本構成（ｄｅｆａｕｌｔ  ｃｏｎｆｉｇｕｒａｔｉｏｎ）に設定する。このような過程中に端末はＲＲＣ連結状態を維持する。
【０１０３】
端末はＲＲＣ連結再確立手続を遂行するためのセル選択手続を遂行する（Ｓ７２０）。ＲＲＣ連結再確立手続のうち、セル選択手続は端末がＲＲＣ連結状態を維持していることにもかかわらず、端末がＲＲＣアイドル状態で遂行するセル選択手続と同一に遂行できる。
【０１０４】
端末はセル選択手続を遂行した後、該当セルのシステム情報を確認して該当セルが適合したセルか否かを判断する（Ｓ７３０）。仮に、選択されたセルが適切なＥ−ＵＴＲＡＮセルと判断された場合、端末は該当セルにＲＲＣ連結再確立要請メッセージ（ＲＲＣ  ｃｏｎｎｅｃｔｉｏｎ  ｒｅｅｓｔａｂｌｉｓｈｍｅｎｔ  ｒｅｑｕｅｓｔ  ｍｅｓｓａｇｅ）を転送する（Ｓ７４０）。
【０１０５】
一方、ＲＲＣ連結再確立手続を遂行するためのセル選択手続を通じて選択されたセルがＥ−ＵＴＲＡＮの以外の他のＲＡＴを使用するセルと判断された場合、ＲＲＣ連結再確立手続を中断し、端末はＲＲＣアイドル状態に進入する（ｅｎｔｅｒ）（Ｓ７５０）。
【０１０６】
端末は、セル選択手続及び選択したセルのシステム情報受信を通じてセルの適切性確認は制限された時間内に終わるように具現できる。このために、端末はＲＲＣ連結再確立手続を開示することによって、タイマーを駆動（ｒｕｎ）させることができる。タイマーは端末が適合したセルを選択したと判断された場合、中断できる。タイマーが満了した場合、端末はＲＲＣ連結再確立手続が失敗したと見なして、ＲＲＣアイドル状態に進入することができる。このタイマーを以下に無線リンク失敗（ｒａｄｉｏ  ｌｉｎｋ  ｆａｉｌｕｒｅ）タイマーと言及する。ＬＴＥスペックＴＳ  ３６．３３１ではＴ３１１という名称のタイマーが無線リンク失敗タイマーとして活用できる。端末はこのタイマーの設定値をサービングセルのシステム情報から獲得することができる。
【０１０７】
端末からＲＲＣ連結再確立要請メッセージを受信し、要請を受諾した場合、セルは端末にＲＲＣ連結再確立メッセージ（ＲＲＣ  ｃｏｎｎｅｃｔｉｏｎ  ｒｅｅｓｔａｂｌｉｓｈｍｅｎｔ  ｍｅｓｓａｇｅ）を転送する。
【０１０８】
セルからＲＲＣ連結再確立メッセージを受信した端末はＳＲＢ１に対するＰＤＣＰ副階層とＲＬＣ副階層を再構成する。また、保安設定と関連した各種キー値をまた計算し、保安を担当するＰＤＣＰ副階層を新しく計算した保安キー値に再構成する。
【０１０９】
これを通じて端末とセルとの間のＳＲＢ１が開放され、ＲＲＣ制御メッセージをやり取りすることができるようになる。端末は、ＳＲＢ１の再開を完了し、セルにＲＲＣ連結再確立手続が完了したというＲＲＣ連結再確立完了メッセージ（ＲＲＣ  ｃｏｎｎｅｃｔｉｏｎ  ｒｅｅｓｔａｂｌｉｓｈｍｅｎｔ  ｃｏｍｐｌｅｔｅ  ｍｅｓｓａｇｅ）を転送する（Ｓ７６０）。
【０１１０】
一方、端末からＲＲＣ連結再確立要請メッセージを受信し、要請を受諾しない場合、セルは端末にＲＲＣ連結再確立拒絶メッセージ（ＲＲＣ  ｃｏｎｎｅｃｔｉｏｎ  ｒｅｅｓｔａｂｌｉｓｈｍｅｎｔ  ｒｅｊｅｃｔ  ｍｅｓｓａｇｅ）を転送する。
【０１１１】
ＲＲＣ連結再確立手続が成功的に遂行されれば、セルと端末はＲＲＣ連結再確立手続を遂行する。これを通じて端末はＲＲＣ連結再確立手続を遂行する前の状態を回復し、サービスの連続性を最大限保証する。
【０１１２】
以下、測定及び測定報告について説明する。
【０１１３】
移動通信システムにおける端末の移動性（ｍｏｂｉｌｉｔｙ）サポートは必須である。したがって、端末は現在サービスを提供するサービングセル（ｓｅｒｖｉｎｇ  ｃｅｌｌ）に対する品質及び隣のセルに対する品質を持続的に測定する。端末は測定結果を適切な時間にネットワークに報告し、ネットワークはハンドオーバーなどを通じて端末に最適の移動性を提供する。しばしばこのような目的の測定を無線資源管理測定（ＲＲＭ（ｒａｄｉｏ  ｒｅｓｏｕｒｃｅ  ｍａｎａｇｅｍｅｎｔ）ｍｅａｓｕｒｅｍｅｎｔ）と称する。
【０１１４】
端末は移動性サポートの目的の以外に事業者がネットワークを運営することに助けになることができる情報を提供するために、ネットワークが設定する特定の目的の測定を遂行し、その測定結果をネットワークに報告することができる。例えば、端末がネットワークが定めた特定セルのブロードキャスト情報を受信する。端末は上記特定セルのセル識別子（Ｃｅｌｌ  Ｉｄｅｎｔｉｔｙ）（これを広域（Ｇｌｏｂａｌ）セル識別子ともいう）、上記特定セルが属した位置識別情報（例えば、Ｔｒａｃｋｉｎｇ  Ａｒｅａ  Ｃｏｄｅ）及び／又はその他のセル情報（例えば、ＣＳＧ（Ｃｌｏｓｅｄ  Ｓｕｂｓｃｒｉｂｅｒ  Ｇｒｏｕｐ）セルのメンバーか否か）をサービングセルに報告することができる。
【０１１５】
移動中の端末は特定地域の品質が非常に悪いということを測定を通じて確認した場合、品質が悪いセルに対する位置情報及び測定結果をネットワークに報告することができる。ネットワークは、ネックワークの運営を助ける端末の測定結果の報告に基づいてネットワークの最適化を図ることができる。
【０１１６】
周波数再使用（Ｆｒｅｑｕｅｎｃｙ  ｒｅｕｓｅ  ｆａｃｔｏｒ）が１の移動通信システムでは、移動性が大部分同一な周波数バンドにある互いに異なるセル間になされる。
【０１１７】
したがって、端末の移動性をよく保証するためには、端末はサービングセルの中心周波数と同一な中心周波数を有する周辺セルの品質及びセル情報をよく測定できなければならない。このように、サービングセルの中心周波数と同一な中心周波数を有するセルに対する測定をイントラ−周波数測定（ｉｎｔｒａ−ｆｒｅｑｕｅｎｃｙ  ｍｅａｓｕｒｅｍｅｎｔ）と呼ぶ。
【０１１８】
端末はイントラ−周波数測定を遂行して測定結果をネットワークに適切な時間に報告して、該当する測定結果の目的が達成されるようにする。
【０１１９】
移動通信事業者は複数の周波数バンドを使用してネットワークを運用することもできる。複数の周波数バンドを通じて通信システムのサービスが提供される場合、端末に最適の移動性を保証するためには、端末はサービングセルの中心周波数と異なる中心周波数を有する周辺セルの品質及びセル情報をよく測定できなければならない。このように、サービングセルの中心周波数と異なる中心周波数を有するセルに対する測定をインター−周波数測定（ｉｎｔｅｒ−ｆｒｅｑｕｅｎｃｙ  ｍｅａｓｕｒｅｍｅｎｔ）と呼ぶ。端末はインター−周波数測定を遂行して測定結果をネットワークに適切な時間に報告できなければならない。
【０１２０】
端末が異なるＲＡＴに基づいたネットワークに対する測定をサポートする場合、基地局設定により該当ネックワークのセルに対する測定をすることもできる。このような測定をインター−ラジオ接近方式（ｉｎｔｅｒ−ＲＡＴ（Ｒａｄｉｏ  Ａｃｃｅｓｓ  Ｔｅｃｈｎｏｌｏｇｙ））測定という。例えば、ＲＡＴは３ＧＰＰ標準規格に従うＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）及びＧＥＲＡＮ（ＧＳＭ（登録商標）  ＥＤＧＥ  Ｒａｄｉｏ  Ａｃｃｅｓｓ  Ｎｅｔｗｏｒｋ）を含むことができ、３ＧＰＰ２標準規格に従うＣＤＭＡ２０００システムやはり含むことができる。
【０１２１】
図８は、本発明が適用できる測定遂行方法の一例を示す流れ図である。
【０１２２】
端末は基地局から測定設定（ｍｅａｓｕｒｅｍｅｎｔ  ｃｏｎｆｉｇｕｒａｔｉｏｎ）情報を受信する（Ｓ８１０）。測定設定情報を含むメッセージを測定設定メッセージという。端末は測定設定情報に基づいて測定を遂行する（Ｓ８２０）。端末は測定結果が測定設定情報内の報告条件を満たせば、測定結果を基地局に報告する（Ｓ８３０）。測定結果を含むメッセージを測定報告メッセージという。
【０１２３】
測定設定情報は、次のような情報を含むことができる。
（１）測定対象（Ｍｅａｓｕｒｅｍｅｎｔ  ｏｂｊｅｃｔ）情報：端末が測定を遂行する対象に関する情報である。測定対象はセル内測定の対象であるイントラ−周波数測定対象、セル間測定の対象であるインター−周波数測定対象、及びインター−ＲＡＴ測定の対象であるインター−ＲＡＴ測定対象のうち、少なくともいずれか１つを含む。例えば、イントラ−周波数測定対象はサービングセルと同一な周波数バンドを有する周辺セルを指示し、インター−周波数測定対象はサービングセルと異なる周波数バンドを有する周辺セルを指示し、インター−ＲＡＴ測定対象はサービングセルのＲＡＴと異なるＲＡＴの周辺セルを指示することができる。
（２）報告設定（Ｒｅｐｏｒｔｉｎｇ  ｃｏｎｆｉｇｕｒａｔｉｏｎ）情報：端末が測定結果を転送することをいつ報告するかに関する報告条件及び報告タイプ（ｔｙｐｅ）に関する情報である。報告設定情報は報告設定のリストで構成できる。各報告設定は報告基準（ｒｅｐｏｒｔｉｎｇ  ｃｒｉｔｅｒｉｏｎ）及び報告フォーマット（ｒｅｐｏｒｔｉｎｇ  ｆｏｒｍａｔ）を含むことができる。報告基準は端末が測定結果を転送することをトリガーする基準である。報告基準は測定報告の周期または測定報告のための単一イベントでありうる。報告フォーマットは端末が測定結果をどんなタイプで構成するかに関する情報である。
（３）測定識別子（Ｍｅａｓｕｒｅｍｅｎｔ  ｉｄｅｎｔｉｔｙ）情報：測定対象と報告設定を関連させて、端末がどんな測定対象に対していつどんなタイプで報告するかを決定するようにする測定識別子に関する情報である。測定識別子情報は測定報告メッセージに含まれて、測定結果がどんな測定対象に対するものであり、測定報告がどんな報告条件で発生したかを示すことができる。
（４）量的設定（Ｑｕａｎｔｉｔｙ  ｃｏｎｆｉｇｕｒａｔｉｏｎ）情報：測定単位、報告単位、及び／又は測定結果値のフィルタリングを設定するためのパラメータに関する情報である。
（５）測定ギャップ（Ｍｅａｓｕｒｅｍｅｎｔ  ｇａｐ）情報：ダウンリンク転送またはアップリンク転送がスケジューリングされなくて、端末がサービングセルとのデータ転送に対する考慮無しで、ただ測定に使用できる区間である測定ギャップに関する情報である。
【０１２４】
端末は測定手続を遂行するために、測定対象リスト、測定報告設定リスト、及び測定識別子リストを有している。
【０１２５】
３ＧＰＰ  ＬＴＥで基地局は端末に１つの周波数バンドに対して１つの測定対象のみを設定することができる。３ＧＰＰ  ＴＳ  ３６．３３１  Ｖ８．５．０（２００９−０３）“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）Ｒａｄｉｏ  Ｒｅｓｏｕｒｃｅ  Ｃｏｎｔｒｏｌ（ＲＲＣ）、Ｐｒｏｔｏｃｏｌ  ｓｐｅｃｉｆｉｃａｔｉｏｎ（Ｒｅｌｅａｓｅ  ８）”の５．５．４節によれば、次の表のような測定報告が誘発されるイベントが定義されている。
【０１２６】
【表１】
0006279061.tif 000002
【０１２７】
端末の測定結果が設定されたイベントを満たせば、端末は測定報告メッセージを基地局に転送する。
【０１２８】
以下、異種ネットワーク（Ｈｅｔｅｒｏｇｅｎｅｏｕｓ  Ｎｅｔｗｏｒｋ：ＨｅＮｅｔ）について説明する。
【０１２９】
マクロセル（ｍａｃｒｏ  ｃｅｌｌ）だけでは増加するデータサービスに対する要求を満たすことが困難である。したがって、マイクロセル（ｍｉｃｒｏ  ｃｅｌｌ）、ピコセル（ｐｉｃｏ  ｃｅｌｌ）、フェムトセル（ｆｅｍｔｏ  ｃｅｌｌ）、無線リレーなどのスモールセル（ｓｍａｌｌ  ｃｅｌｌ）を用いて室内外小規模領域に対するデータサービスを運用することができる。
【０１３０】
スモールセル（ｓｍａｌｌ  ｃｅｌｌ）の用途が特別に限定されてはいないが、一般的にピコセルはマクロセルだけではカバーできない通信陰影地域やデータサービス要求の多い領域、いわゆるホットスポット（ｈｏｔ  ｓｐｏｔ）またはホットゾーン（ｈｏｔｚｏｎｅ）に利用できる。
【０１３１】
フェムトセルは、一般的に室内事務室や家庭で利用できる。また、無線リレーはマクロセルのカバレッジ（ｃｏｖｅｒａｇｅ）を補完することができる。異種ネットワークを構成することによってデータサービスの陰影地域をなくすことができるだけでなく、データ転送速度の増加を図ることができる。
【０１３２】
また、最近には爆発的に増加するデータトラフィックを収容するために既存のマクロセルに比べて少ない電力を使用して相対的に非常に小さな地域をカバーするためのスモールセル（ｓｍａｌｌ  ｃｅｌｌ）に対する性能向上（Ｓｍａｌｌ  Ｃｅｌｌ  Ｅｎｈａｎｃｅｍｅｎｔ：ＳＣＥ；以下，‘ＳＣＥ’という）技術に対する研究が活発に進められている。
【０１３３】
ＳＣＥはｍａｃｒｏ  ｃｅｌｌカバレッジ内に（または、建物内部などの場合にはマクロセルカバレッジ無しで）ｓｍａｌｌ  ｃｅｌｌを密集配置し、ｍａｃｒｏ  ｃｅｌｌを運用するＭｅＮＢ及びｓｍａｌｌ  ｃｅｌｌを運営するＳｅＮＢ間、またはＳｅＮＢ相互間の密接な協力により単位面積当たりスペクトル効率（Ｓｐｅｃｔｒｕｍ  Ｅｆｆｉｃｉｅｎｃｙ）を驚くほど増大させて急増するトラフィックを収容し、かつ効率的な移動性管理を可能にするための技術を意味する。
【０１３４】
特に、セル内部のいわゆるホットスポット（ｈｏｔ  ｓｐｏｔ）のような特定地域では特別に多い通信需要が発生し、セル境界（ｃｅｌｌ  ｅｄｇｅ）またはカバレッジホール（ｃｏｖｅｒａｇｅ  ｈｏｌｅ）のような特定地域では電波の受信感度が落ちることがあるので、ｓｍａｌｌ  ｃｅｌｌはマクロセルだけではカバーできない通信陰影地域やホットスポット（ｈｏｔ  ｓｐｏｔ）のようなデータサービス要求の多い領域に利用できる。
【０１３５】
図９は、本発明が適用できるマクロ基地局とスモール基地局を含んで構成される異種ネットワークの一例を示す図である。
【０１３６】
異種ネットワーク（Ｈｅｔｅｒｏｇｅｎｅｏｕｓ  Ｎｅｔｗｏｒｋ：ＨｅＮｅｔ）にはマクロ基地局とスモール基地局が共に運営される。
【０１３７】
ここで、上記マクロ基地局はマクロセル内で端末に無線通信環境を提供し、上記スモール基地局はマイクロ基地局、フェムト基地局、ピコ基地局、リレーなどのマクロ基地局よりサイズの小さい基地局であって、スモールセル内で端末に無線通信環境を提供する。
【０１３８】
上記マクロ基地局は、ｍａｃｒｏ  ｅＮＢ（ＭｅＮＢ）、Ｍａｓｔｅｒ  ｅＮＢ（ＭｅＮＢ）プライマリｅＮＢ（Ｐｒｉｍａｒｙ  ｅＮＢ）などで表現されることができ、上記スモール基地局はｓｍａｌｌ  ｅＮＢ、セコンダリーｅＮＢ（ＳｅＮＢ：ｓｅｃｏｎｄａｒｙ  ｅＮＢ）、ピコ基地局（Ｐｉｃｏ  ｅＮＢ）、フェムト基地局（Ｆｅｍｔｏ  ｅＮＢ）、マイクロ基地局（Ｍｉｃｒｏ  ｅＮＢ）、遠隔無線ヘッド（ＲＲＨ：ｒｅｍｏｔｅ  ｒａｄｉｏ  ｈｅａｄ）、リレー（ｒｅｌａｙ）、中継機（ｒｅｐｅａｔｅｒ）などで表現できる。
【０１３９】
また、スモールセルはマクロセルに比べて小さな地域に対してサービスするため、単一端末に対して提供できるスループット（Ｔｈｒｏｕｇｈｐｕｔ）の点からマクロセルに比べて有利である。
【０１４０】
本発明で基地局とは、上記マクロ基地局、上記スモール基地局、及び他の類型の基地局を含む概念である。
【０１４１】
以下、説明の便宜のためにマクロ基地局を‘第１基地局’または‘ＭｅＮＢ’として、スモール基地局を‘第２基地局’または‘ＳｅＮＢ’として表現するようにする。
【０１４２】
図９に示すように、ｍａｃｒｏ  ｃｅｌｌ領域とｓｍａｌｌ  ｃｅｌｌ領域のカバレッジは重畳されるか、または重畳されないことがある。また、ＭｅＮＢがサポートするキャリア周波数（Ｆ１）とＳｅＮＢがサポートするキャリア周波数は互いに同一であるか（ＳｅＮＢがＦ１をサポートする場合）、または同一でないこともある（ＳｅＮＢがＦ２をサポートする場合）。
【０１４３】
また、ＭｅＮＢとＳｅＮＢとの間、または複数のＳｅＮＢの間のバックホールは理想的な（ｉｄｅａｌ）バックホールと非理想的な（ｎｏｎ−ｉｄｅａｌ）バックホールを全てサポートすることができる。
【０１４４】
また、密集されるか（ｄｅｎｓｅ）、または密集されない（ｓｐａｒｓｅ）ｓｍａｌｌ  ｃｅｌｌ  ｄｅｐｌｏｙｍｅｎｔが全て考慮されることができ、室内の（ｉｎｄｏｏｒ）または室外の（ｏｕｔｄｏｏｒ）ｓｍａｌｌ  ｃｅｌｌ  ｄｅｐｌｏｙｍｅｎｔが全て考慮できる。
【０１４５】
図９に図示されたｍａｃｒｏ  ｃｅｌｌ領域とｓｍａｌｌ  ｃｅｌｌ領域は例示に過ぎず、その数や領域のサイズはこれと相異するように配置できることは勿論である。
【０１４６】
図１０は、本発明が適用できるスモール基地局運用を示す無線通信システムの一例を示す図である。
【０１４７】
図１０を参照すると、スモール基地局をサービスするためにＳｅＮＢゲートウェイ（ＳｅＮＢ  ＧＷ）を運用することができる。
【０１４８】
ＳｅＮＢは、ＳｅＮＢ  ＧＷを通じてＥＰＣに連結されるか、または直接ＥＰＣに連結される。ＳｅＮＢ  ＧＷは、ＭＭＥには一般的なＭｅＮＢのように見えることがある。ＳｅＮＢ  ＧＷはＳｅＮＢにはＭＭＥのように見えることがある。
【０１４９】
したがって、ＳｅＮＢとＳｅＮＢ  ＧＷとの間にはＳ１インターフェースに連結され、ＳｅＮＢ  ＧＷとＥＰＣやはりＳ１インターフェースに連結される。また、ＳｅＮＢとＥＰＣが直接連結される場合にもＳ１インターフェースに連結される。ＳｅＮＢの機能は一般的なＭｅＮＢの機能と大部分同一である。
【０１５０】
一般的に、ＳｅＮＢは移動通信網事業者が所有したＭｅＮＢと比較して無線転送出力が低い。したがって、ＳｅＮＢが提供するサービス領域（ｃｏｖｅｒａｇｅ）はＭｅＮＢが提供するサービス領域に比べて小さいことが一般的である。このような特性のため、サービス領域の観点からたびたびＳｅＮＢが提供するセルはＭｅＮＢが提供するマクロセルと対比してスモールセルに分類される。
【０１５１】
図１１は、本発明が適用できる異種ネットワークシステムにおける端末及び基地局の配置の一例を示す概念図である。
【０１５２】
図１１を参照すると、異種ネットワークシステムは周波数帯域１を使用してサービスを提供するマクロ基地局と、周波数帯域１または２を使用してサービスを提供するスモール基地局を含む。
【０１５３】
マクロ基地局は周波数帯域１を使用してマクロセルのカバレッジにサービスを提供することができ、スモール基地局は周波数帯域１または周波数帯域２を使用してスモールセル（ｓｍａｌｌ  ｃｅｌｌ）のカバレッジにサービスを提供することができる。
【０１５４】
端末１０は、マクロ基地局またはスモール基地局とＲＲＣ連結を設定し、サービスの提供を受けることができる。例えば、端末１０がマクロ基地局とＲＲＣ連結設定された状態で、端末１０がスモール基地局のサービスカバレッジ領域に接近する場合、端末１０が受信する無線信号品質がマクロ基地局の周波数帯域１よりスモール基地局の周波数帯域２でより優れることがある。
【０１５５】
この場合、端末１０がスモール基地局からサービスの提供を受けるためには端末とＲＲＣ連結が設定されたマクロ基地局からスモール基地局へのインター−周波数（ｉｎｔｅｒ−ｆｒｅｑｕｅｎｃｙ）ハンドオーバー手続を遂行することができる。
【０１５６】
また、以後、端末１０がスモール基地局のサービスカバレッジ領域を逸脱するか、または端末１０が受信する無線信号品質がスモール基地局の周波数帯域２よりマクロ基地局の周波数帯域１でより優れる場合、スモール基地局からマクロ基地局にインター−周波数ハンドオーバー手続が遂行されることもできる。
【０１５７】
以下、スモールセル配置（ｓｍａｌｌ  ｃｅｌｌ  ｄｅｐｌｏｙｍｅｎｔ）に対して図１２から図１５を参照してより具体的に説明する。
【０１５８】
（Ｗｉｔｈ  ａｎｄ  ｗｉｔｈｏｕｔ  ｍａｃｒｏ  ｃｏｖｅｒａｇｅ）
スモールセル進化（Ｓｍａｌｌ  ｃｅｌｌ  ｅｎｈａｎｃｅｍｅｎｔ）はマクロカバレッジを有するものと（ｗｉｔｈ  ｍａｃｒｏ  ｃｏｖｅｒａｇｅ）と有しないもの（ｗｉｔｈｏｕｔ  ｍａｃｒｏ  ｃｏｖｅｒａｇｅ）を全て考慮する。
【０１５９】
より詳しくは、スモールセル進化はスモールセルノードが既に配置されたセルラーネットワークの容量を増加させるために、Ｅ−ＵＴＲＡＮマクロ−セルレイヤ（ｌａｙｅｒ）に１つまたはその以上重畳されるカバレッジ内で配置される配置（ｄｅｐｌｏｙｍｅｎｔ）シナリオが考慮される。
【０１６０】
２つのシナリオがマクロカバレッジを有する配置シナリオで考慮できる。
【０１６１】
１つはＵＥが同時にマクロセルとスモールセル両方とものカバレッジ内にあるものであり、他の１つはＵＥが同時にマクロセルとスモールセル両方とものカバレッジ内にないものである。
【０１６２】
また、上記スモールセル進化はスモールセルノードが１つまたはその以上の重畳されたＥ−ＵＴＲＡＮマクロ−セルレイヤのカバレッジ内に配置されない配置シナリオが考慮される。
【０１６３】
（室外（または、屋外）及び室内（Ｏｕｔｄｏｏｒ  ａｎｄ  ｉｎｄｏｏｒ））
スモールセル進化は室外及び室内全てでスモールセル配置を考慮する。
【０１６４】
スモールセルノードは室内または室外に配置されることができ、いずれか１つの状況で室外または室内にあるＵＥにサービスを提供することができる。
【０１６５】
室内のＵＥに対し、低いＵＥ速度（例：０−３ｋｍ／ｈ）のみ考慮できる。
【０１６６】
これと反対に、室外ＵＥに対し、単に低いＵＥ速度だけでなく、中間ＵＥ速度（例：３０ｋｍ／ｈまで、そして潜在的により高い速度まで）が考慮されなければならない。
【０１６７】
（理想的なバックホールと理想的でないバックホール（Ｉｄｅａｌ  ａｎｄ  ｎｏｎ−ｉｄｅａｌ  ｂａｃｋｈａｕｌ））
スモールセル進化はｉｄｅａｌバックホール（例：光繊維を使用する専用点−対−点連結のような非常に高い処理量（ｔｈｒｏｕｇｈｐｕｔ）と非常に低い遅延バックホール）とｎｏｎ−ｉｄｅａｌバックホール（例：ｘＤＳＬ、ｍｉｃｒｏｗａｖｅのようにマーケットで広く使われる典型的なバックホールと、リレイング（ｒｅｌａｙｉｎｇ）のような他のバックホール）全てを考慮する。
【０１６８】
（Ｓｐａｒｓｅ  ａｎｄ  ｄｅｎｓｅ）
スモールセル進化は疎らにして（ｓｐａｒｓｅ）、密集した（ｄｅｎｓｅ）スモールセル配置を全て考慮する。特定シナリオで（例：ホットスポット（ｈｏｔ  ｓｐｏｔ）室内／室外場所など）、１つまたは一部のスモールセルノードは、一例に、ホットスポット（ｈｏｔ  ｓｐｏｔ）をカバーするために疎らに配置される。
【０１６９】
一方、特定シナリオで（例：密集した都市、大きいショッピングモールなど）、多いスモールセルノードは上記スモールセルノードによりカバーされる相対的に広い地域で夥しいトラフィックをサポートするために密集するように配置される。
【０１７０】
スモールセルレイヤのカバレッジは、一般的に他のホットスポット地域の間で不連続的である。各ホットスポット地域はスモールセルクラスタのようなスモールセルグループによりカバーされる。
【０１７１】
（同期（Ｓｙｎｃｈｒｏｎｉｚａｔｉｏｎ））
同期及び非同期シナリオの全てがスモールセルとマクロセルの間だけでなく、スモールセルの間でも考慮される。
【０１７２】
干渉調整、キャリア併合（ＣＡ）、及びインター−ｅＮＢ  ＣｏＭＰ（ｉｎｔｅｒ−ｅＮＢ  ＣＯＭＰ）のような特定動作のために、スモールセル進化はスモールセルサーチ／測定（ｓｅａｒｃｈ／ｍｅａｓｕｒｅｍｅｎｔ）、及び干渉／資源管理において同期化された配置で利得になることができる。
【０１７３】
（スペクトル（Ｓｐｅｃｔｒｕｍ））
スモールセル進化は他の周波数バンドが各々マクロレイヤ及びスモールセルレイヤに別個に割り当てられる配置シナリオを扱う。
【０１７４】
スモールセル進化は、より利用可能なスペクトル及びより広い帯域幅を楽しむために３．５ＧＨｚのようなより高い周波数バンドに特別な焦点または関心（ｆｏｃｕｓ）を有する未来セルラーバンドだけでなく、現在存在するセルラーバンドに全て適用できる。
【０１７５】
また、スモールセル進化は少なくとも地域的にスモールセル配置のみのために使われる周波数バンドのための可能性を考慮することができる。
【０１７６】
マクロレイヤ及びスモールセルレイヤの間に同時−チャンネル（Ｃｏ−ｃｈａｎｎｅｌ）配置シナリオやはり考慮されなければならない。幾つかの一例のスペクトル構成が以下のように考慮できる。
【０１７７】
−バンドＸ及びバンドＹを有するマクロレイヤでのキャリア併合とスモールセルレイヤでバンドＸのみを有するキャリア併合
−マクロレイヤを有する同時−チャンネル（ｃｏ−ｃｈａｎｎｅｌ）があるキャリア併合バンドをサポートするスモールセル
−マクロレイヤを有する同時−チャンネルがないキャリア併合バンドをサポートするスモールセル
【０１７８】
スモールセル進化はマクロレイヤとスモールセルレイヤに対する周波数バンドのためのデュプレックス（ｄｕｐｌｅｘ）方法（ＦＤＤ／ＴＤＤ）に関わらずサポートされなければならない。
【０１７９】
スモールセル進化に対する無線インターフェース及び解決策はバンド−独立的でなければならない。
【０１８０】
（トラフィック（Ｔｒａｆｆｉｃ））
スモールセル配置で、トラフィックはスモールセルノード当たりユーザの数が典型的に小さなカバレッジによってあまり多くないので、かなり流動的（ｆｌｕｃｔｕａｔｉｎｇ）でありうる。
【０１８１】
スモールセル配置で、ユーザ分配はスモールセルノードの間で非常に流動的でありうる。
【０１８２】
また、トラフィックはダウンリンク中心またはアップリンク中心で高い非対称を有することができる。
【０１８３】
したがって、時間領域及び空間領域でｕｎｉｆｏｒｍ及びｎｏｎ−ｕｎｉｆｏｒｍトラフィック負荷（ｌｏａｄ）分配が考慮される。
【０１８４】
（二重連結（ｄｕａｌ  ｃｏｎｎｅｃｔｉｖｉｔｙ））
スモールセル進化をサポートする異種ネットワークにおいて、移動性剛健さ（ｍｏｂｉｌｉｔｙ  ｒｏｂｕｓｔｎｅｓｓ）、頻繁なハンドオーバーによって増加するシグナリング負荷（ｓｉｇｎａｌｉｎｇ  ｌｏａｄ）、ユーザ当たり処理量改善、システム容量（ｃａｐａｃｉｔｙ）などと関連した多様な要求事項がある。
【０１８５】
このような要求事項を実現するための解決策として、Ｅ−ＵＴＲＡＮはＲＲＣ＿連結（ＲＲＣ＿ＣＯＮＮＥＣＴＥＤ）で多様なＲＸ／ＴＸ  ＵＥが２つの区分されるスケジューラにより提供され、Ｘ２インターフェースを介して非−異相的な（ｎｏｎ−ｉｄｅａｌ）バックホールを通じて連結された２つのｅＮＢに位置する無線資源を用いるために構成される二重連結性（ＤＣ）動作をサポートする。
【０１８６】
二重連結性は制御及びデータ分離を含蓄することができる。例えば、移動性のための制御シグナリングは高い−速度データ連結がスモールセルを通じて提供される時間と同一な時間にマクロセルを通じて提供される。
【０１８７】
また、ダウンリンクとアップリンクとの間の分離、上記ダウンリンクとアップリンクとの間の連結は他のセルを通じて提供される。
【０１８８】
特定ＵＥのための二重連結性と関連したｅＮＢｓは２つの異なる役割を仮定することができる。例えば、１つのｅＮＢはＭｅＮＢまたはＳｅＮＢとして行動することができる。
【０１８９】
二重連結性で、ＵＥは１つのＭｅＮＢ及び１つのＳｅＮＢと連結できる。
【０１９０】
ＭｅＮＢは、二重連結性（ｄｕａｌ  ｃｏｎｎｅｃｔｉｖｉｔｙ：ＤＣ）で少なくとも１つのＳ１−ＭＭＥを終了するｅＮＢであり、ＳｅＮＢはＵＥのために追加的な無線資源を提供するｅＮＢであるが、二重連結性でマスター（Ｍａｓｔｅｒ）ｅＮＢではない。
【０１９１】
追加的に、ＣＡが構成されたＤＣはＲＲＣ連結状態でＵＥの動作モードを意味し、マスターセルグループ（Ｍａｓｔｅｒ  Ｃｅｌｌ  Ｇｒｏｕｐ）及びセコンダリーセルグループ（Ｓｅｃｏｎｄａｒｙ  Ｃｅｌｌ  Ｇｒｏｕｐ）で構成される。
【０１９２】
ここで、“セルグループ（ｃｅｌｌ  ｇｒｏｕｐ）”は二重連結性でＭａｓｔｅｒ  ｅＮＢ（ＭｅＮＢ）またはＳｅｃｏｎｄａｒｙ  ｅＮＢ（ＳｅＮＢ）と関連したサービングセルのグループを示す。
【０１９３】
“マスターセルグループ（Ｍａｓｔｅｒ  Ｃｅｌｌ  Ｇｒｏｕｐ：ＭＣＧ）”はＭｅＮＢと関連したサービングセルのグループであり、二重連結性でｐｒｉｍａｒｙ  ｃｅｌｌ（ＰＣｅｌｌ）及び選択的に１つまたはその以上の（ｏｎｅ  ｏｒ  ｍｏｒｅ）ｓｅｃｏｎｄａｒｙ  ｃｅｌｌｓ（ＳＣｅｌｌｓ）を含む。
【０１９４】
“セコンダリーセルグループ（Ｓｅｃｏｎｄａｒｙ  Ｃｅｌｌ  Ｇｒｏｕｐ：ＳＣＧ）”は、ｐｒｉｍａｒｙ  ＳＣｅｌｌ（ｐＳＣｅｌｌ）及び選択的に１つまたはその以上のＳＣｅｌｌｓを含むＳｅＮＢと関連したサービングセルのグループを示す。
【０１９５】
ここで、以下に説明される“セル”はｅＮＢによりカバーされる一般的な領域としての‘セル’と区別されなければならない。即ち、セル（ｃｅｌｌ）はダウンリンクと選択的にアップリンク資源の結合を示す。
【０１９６】
ダウンリンク資源のキャリア周波数（例：セルの中心周波数）とアップリンク資源のキャリア周波数との間の関係（ｌｉｎｋｉｎｇ）は、ダウンリンク資源から転送されるシステム情報で指示される。
【０１９７】
ＭＣＧベアラーは二重連結性でＭｅＮＢ資源のみを使用するためにＭｅＮＢのみで位置する無線プロトコルであり、ＳＣＧベアラーは二重連結性でＳｅＮＢ資源を使用するためにＳｅＮＢのみで位置する無線プロトコルである。
【０１９８】
そして、スプリットベアラー（Ｓｐｌｉｔ  ｂｅａｒｅｒ）は二重連結性でＭｅＮＢ及びＳｅＮＢ資源全てを使用するためにＭｅＮＢ及びＳｅＮＢ全てで位置する無線プロトコルである。
【０１９９】
図１２は、Ｅ−ＵＴＲＡＮで二重連結性のための制御プレーン（ｃｏｎｔｒｏｌ  ｐｌａｎｅ）を例示する。
【０２００】
二重連結性のためのインター−ｅＮＢ（Ｉｎｔｅｒ−ｅＮＢ）制御プレーンシグナリングは、Ｘ２インターフェースシグナリングのために遂行される。
【０２０１】
ＭＭＥに向かう制御プレーンシグナリングはＳ１インターフェースシグナリングにより遂行される。ＭｅＮＢとＭＭＥとの間にＵＥ当たり１つのＳ１−ＭＭＥ連結のみ存在する。
【０２０２】
各ｅＮＢはＵＥを独立的に扱えなければならない。例えば、各ｅＮＢは他のＵＥにＳＣＧのためのＳＣｅｌｌ（ｓ）を提供する間、一部ＵＥにＰＣｅｌｌを提供する。
【０２０３】
特定ＵＥのための二重連結性と関連する各ｅＮＢは自身の無線資源を所有し、主に自身のセルの無線資源を割り当てる責任があり、ＭｅＮＢとＳｅＮＢとの間に各調整がＸ２インターフェースシグナリングにより遂行される。
【０２０４】
図１２に示すように、ＭｅＮＢはＳ１−ＭＭＥを通じてＭＭＥと連結されるＣ−平面であり、上記ＭｅＮＢ及びＳｅＮＢはＸ２−Ｃを通じて互いに連結される。
【０２０５】
図１３は、Ｅ−ＵＴＲＡＮで二重連結性のためのユーザプレーン構造を例示する。
【０２０６】
図１３は、特定ＵＥのための二重連結性に関連するｅＮＢｓのユーザプレーン連結性を示す。上記ユーザプレーン連結性は以下のように構成されたベアラー選択に依存する。
【０２０７】
ＭＣＧベアラーに対し、ＭｅＮＢはＳ１−Ｕを通じてＳ−ＧＷに連結されるＵ−ｐｌａｎｅであり、上記ＳｅＮＢはユーザプレーンデータの転送に関連しない。
【０２０８】
スプリットベアラー（ｓｐｌｉｔ  ｂｅａｒｅｒｓ）のために、ＭｅＮＢはＳ１−Ｕを通じてＳ−ＧＷに連結されるユーザプレーンであり、また、上記ＭｅＮＢ及びＳｅＮＢ  ＳＭＳ  Ｘ２−Ｕを通じて互いに連結される。
【０２０９】
ここで、スプリットベアラーはＭｅＮＢとＳｅＮＢ資源の全てを使用するためにＭｅＮＢとＳｅＮＢ全てに位置する無線プロトコルである。
【０２１０】
ＳＣＧベアラーのために、ＳｅＮＢはＳ１−Ｕを通じてＳ−ＧＷと直接連結される。
【０２１１】
したがって、仮にＭＣＧとスプリットベアラーが構成されれば、ＳｅＮＢでＳ１−Ｕの終了はない。
【０２１２】
図１４は、Ｅ−ＵＴＲＡＮとＵＥとの間に二重連結性のための無線インターフェースプロトコル構造を例示する。
【０２１３】
二重連結性で、特定のベアラーを使用する無線プロトコル構造はベアラーがどのようにセットアップされるかによって依存する。
【０２１４】
３種類の代案、即ちＭＣＧベアラー、ＳＣＧベアラー、及びｓｐｌｉｔベアラーが存在する。
【０２１５】
即ち、ＵＥの特定ベアラー（例：ＳＣＧベアラー）は他のベアラー（例：ＭＣＧベアラー）がＭｅＮＢのみにより提供される一方、ＳｅＮＢによっても提供できる。
【０２１６】
また、ＵＥの特定ベアラー（例：ｓｐｌｉｔベアラー）は他のベアラー（例：ＭＣＧベアラー）がＭｅＮＢのみにより提供される一方、ｓｐｌｉｔされることもできる。このような３種類の代案は図１４に図示される。
【０２１７】
ＭＣＧベアラー及びＳＣＧベアラーがセットアップ（ｓｅｔｕｐ）される場合、Ｓ１−Ｕは与えられたｅＮＢでベアラー毎に現在定義された無線−インターフェースＵ−ｐｌａｎｅプロトコルスタック（ｐｒｏｔｏｃｏｌ  ｓｔａｃｋ）を完全に終了し、１つのノードにより１つのＥＰＳベアラーの転送を実現できるようにする。
【０２１８】
相変らず、他のベアラーの転送はＭｅＮＢ及びＳｅＮＢから同時に発生できる。
【０２１９】
スプリットベアラーがセットアップされる場合、Ｓ１−Ｕは常にＭｅＮＢに存在するＰＤＣＰレイヤを有するＭｅＮＢで終了する。
【０２２０】
別に、そして独立的なＲＬＣベアラー（ＲＬＣの上のＳＡＰ）があり、またＵＥ側で、ＰＤＣＰベアラー（ＰＤＣＰの上のＳＡＰ）のＰＤＣＰ  ＰＤＵｓを転送するために構成されるｅＮＢ毎にＭｅＮＢで終了する。
【０２２１】
上記ＰＤＣＰ階層は転送のためのＰＤＣＰ  ＰＤＵルーティングを提供し、二重連結性でｓｐｌｉｔベアラーのための受信のために再整理する（ｒｅｏｒｄｅｒｉｎｇ）ＰＤＣＰ  ＰＤＵを提供する。
【０２２２】
ＳＲＢｓは常にＭＣＧベアラーであり、したがって、単にＭｅＮＢにより提供される無線資源を使用する。
【０２２３】
ここで、ＤＣはＳｅＮＢにより提供される無線資源を使用するために構成される少なくとも１つのベアラーを有するものとして説明できる。
【０２２４】
図１５は、Ｅ−ＵＴＲＡＮで二重連結性のための制御プレーン構造を例示する。
【０２２５】
二重連結動作で、ＳｅＮＢは自身の無線資源を所有し、主に自身のセルの無線資源を割り当てるための責任がある。
【０２２６】
したがって、一部の調整はこれを可能にするためにＭｅＮＢとＳｅＮＢとの間に相変らず要求される。
【０２２７】
以下の少なくとも１つのＲＲＣ機能は二重連結性動作のためにＵＥにスモールセルレイヤを追加することを考慮する時に適切である。
【０２２８】
−スモールセルレイヤの共通無線資源構成
−スモールセルレイヤの専用無線資源構成
−スモールセルレイヤに対する測定及び移動性制御
【０２２９】
二重連結動作で、ＵＥは常に１つのＲＲＣ状態（例：ＲＲＣ連結状態またはＲＲＣアイドル状態）で止まる。
【０２３０】
図１５を参照すると、単にＭｅＮＢはＭｅＮＢとＳｅＮＢとの間でＲＲＭ機能の調整後にＵＥに向けて転送される最後のＲＲＣメッセージを生成する。
【０２３１】
ＵＥ  ＲＲＣエンティティーは１つのエンティティー（ＭｅＮＢで）のみから来る全てのメッセージを見て、ＵＥは上記エンティティーのみにまた応答する。このようなメッセージのＬ２転送は選択されるユーザプレーン構造及び意図される解決策に依存する。
【０２３２】
以下の一般的な原理は二重連結性の動作について適用される。
１．ＭｅＮＢはＵＥのＲＲＭ測定構成を維持し、一例に、受信される測定報告またはトラフィック条件またはベアラータイプに基づいて、ＳｅＮＢにＵＥのために追加的な資源（サービングセル）を提供することを要請することに決定する。
２．ＭｅＮＢから要請を受信する時、ＳｅＮＢはＵＥのために追加的なサービングセルの構成を引き起こすｃｏｎｔａｉｎｅｒを生成することができる。
３．ＭｅＮＢ及びＳｅＮＢはＸｎメッセージから転送されるＲＲＣ  ｃｏｎｔａｉｎｅｒｓ（インター−ノードメッセージ）によりＵＥ構成に関する情報を交換する。ここで、ＸｎインターフェースはＬＴＥ／ＬＴＥ−ＡシステムでＸ２インターフェースでありうる。
４．ＳｅＮＢは自身の存在するサービングセルの再構成を開示することができる（例：ＳｅＮＢに向かうＰＵＣＣＨ）。
５．ＭｅＮＢはＳｅＮＢにより提供されるＲＲＣ構成のコンテンツ（ｃｏｎｔｅｎｔ）を変更しない。
【０２３３】
前述したように、スモールセル構造及び動作が説明され、特にマクロセル（または、ＭｅＮＢ）及びスモールセル（または、ＳｅＮＢ）でＵＥの二重連結性にフォーカシングされる。
【０２３４】
二重連結性で、ＵＥのためのサービングセルの構成されるセットは２つのサブセット、即ちＭｅＮＢのサービングセルを含むＭａｓｔｅｒ  Ｃｅｌｌ  Ｇｒｏｕｐ（ＭＣＧ）とＳｅＮＢのサービングセルを含むＳｅｃｏｎｄａｒｙ  Ｃｅｌｌ  Ｇｒｏｕｐ（ＳＣＧ）を含む。
【０２３５】
ＭｅＮＢとＳｅＮＢとの間で相互作用に関し、以下の原理が適用される。
【０２３６】
ＭｅＮＢはＵＥのＲＲＭ測定構成を維持する。そして、ＭｅＮＢは一例に、受信された測定報告またはトラフィック条件、またはベアラータイプに基づいてＵＥのための追加的な資源（サービングセル）を提供することをＳｅＮＢに要請することを決定する。
【０２３７】
ＭｅＮＢから要請を受信するとすぐに、ＳｅＮＢはＵＥのための追加的なサービングセルの構成を引き起こすｃｏｎｔａｉｎｅｒを生成することができる（または、そのようにするために利用可能な資源がないと決定）。
【０２３８】
ＵＥ能力調整のために、ＭｅＮＢはＡＳ−構成の部分とＳｅＮＢにＵＥ能力を提供する。
【０２３９】
ＭｅＮＢ及びＳｅＮＢはＸｎメッセージ（例：Ｘ２メッセージ）から転送されるＲＲＣ  ｃｏｎｔａｉｎｅｒ（インター−ノードメッセージ）によってＵＥ構成に関する情報を交換する。
【０２４０】
ＳｅＮＢは自身の存在するサービングセルの再構成を開示することができる。（ＳｅＮＢに向かうＰＵＣＣＨ）ＳｅＮＢはＳＣＧ内にＰＳＣｅｌｌを決定する。ＭｅＮＢは、ＳｅＮＢにより提供されるＲＲＣ再構成のｃｏｎｔｅｎｔを変更しない。
【０２４１】
本発明で、ＳｅＮＢはＭｅＮＢに二重連結性ＵＥのためにスモールセルでＲＲＣ構成値を提供すると仮定し、ＭｅＮＢはＳｅＮＢからスモールセル側の連結のために提供されるＲＲＣ構成値に基づいてＵＥのためのＲＲＣ構成またはＲＲＣ再構成を遂行すると仮定する。
【０２４２】
以下、本発明で提案する異種ネットワークにおけるスモールセル追加手続（ｓｍａｌｌ  ｃｅｌｌ  ａｄｄｉｔｉｏｎ  ｐｒｏｃｅｄｕｒｅ）と関連した事項について具体的に説明する。
【０２４３】
まず、オフローディング（Ｏｆｆ−ｌｏａｄｉｎｇ）関連内容及び以下に記述される用語について簡略に整理する。
【０２４４】
セル（Ｃｅｌｌ）：ダウンリンク及び選択的にアップリンク資源の結合。ダウンリンク資源のキャリア周波数とアップリンク資源のキャリア周波数との間の関係（ｌｉｎｋｉｎｇ）はダウンリンク資源から転送されるシステム情報で指示される。
【０２４５】
セルグループ（Ｃｅｌｌ  Ｇｒｏｕｐ：ＣＧ）：二重連結性で、ＭｅＮＢまたはＳｅＮＢと関連のあるサービングセルのグループ
【０２４６】
二重連結性（ｄｕａｌ  ｃｏｎｎｅｃｔｉｖｉｔｙ：ＤＣ）：ＲＲＣ連結でＵＥの動作モード、Ｍａｓｔｅｒ  Ｃｅｌｌ  Ｇｒｏｕｐ（ＭＣＧ）とＳｅｃｏｎｄａｒｙ  Ｃｅｌｌ  Ｇｒｏｕｐ（ＳＣＧ）で構成される。
【０２４７】
Ｅ−ＲＡＢ（Ｅ−ＵＴＲＡＮ  Ｒａｄｉｏ  Ａｃｃｅｓｓ  Ｂｅａｒｅｒ）：Ｅ−ＲＡＢはＳ１ベアラー及び該当データ無線ベアラー（Ｄａｔａ  Ｒａｄｉｏ  ｂｅａｒｅｒ）の結合を独特に（ｕｎｉｑｕｅｌｙ）識別する。Ｅ−ＲＡＢが存在する時、３ＧＰＰ  ＴＳ  ２３．４０１（“Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ、ＧＰＲＳ  ｅｎｈａｎｃｅｍｅｎｔｓ  ｆｏｒ  Ｅ−ＵＴＲＡＮ  ａｃｃｅｓｓ”）で定義されるように、上記Ｅ−ＲＡＢとＮＡＳのＥＰＳベアラーとの間に一−対−一にマッピングされる。
【０２４８】
マスターセルグループ（Ｍａｓｔｅｒ  Ｃｅｌｌ  Ｇｒｏｕｐ：ＭＣＧ）：二重連結性で、ＭｅＮＢと関連したたサービングセルのグループ、ＰＣｅｌｌ（Ｐｒｉｍａｒｙ  ＳＣｅｌｌ）及び選択的に１つまたはその以上のＳＣｅｌｌｓを含む。
【０２４９】
マスターｅＮＢ（Ｍａｓｔｅｒ  ｅＮＢ：ＭｅＮＢ）：二重連結性で、少なくとも１つのＳ１−ＭＭＥを終了するｅＮＢ
【０２５０】
ＭＣＧベアラー（ＭＣＧ  ｂｅａｒｅｒ）：二重連結性で、ＭｅＮＢ資源のみを使用するためにＭｅＮＢのみに位置する無線プロトコル
【０２５１】
ＳＣＧベアラー（ＳＣＧ  ｂｅａｒｅｒ）：二重連結性で、ＳｅＮＢ資源を使用するためにＳｅＮＢのみに位置する無線プロトコル
【０２５２】
セコンダリーセルグループ（Ｓｅｃｏｎｄａｒｙ  Ｃｅｌｌ  Ｇｒｏｕｐ：ＳＣＧ）：二重連結性で、ＳｅＮＢと関連したサービングセルのグループ。ＰＳＣｅｌｌ及び選択的に１つまたはその以上のＳＣｅｌｌｓを含む。
【０２５３】
セコンダリーｅＮＢ（Ｓｅｃｏｎｄａｒｙ  ｅＮＢ：ＳｅＮＢ）：二重連結性で、ＵＥのために追加的な無線資源を提供するｅＮＢ。しかしながら、ＳｅＮＢはマスターｅＮＢではない。
【０２５４】
スプリットベアラー（ｓｐｌｉｔ  ｂｅａｒｅｒ）：二重連結性で、ＭｅＮＢとＳｅＮＢ資源全てを使用するためにＭｅＮＢ及びＳｅＮＢ両方ともに位置する無線プロトコル。
【０２５５】
（オフ−ローディング手続（Ｏｆｆ−ｌｏａｄｉｎｇ  ｐｒｏｃｅｄｕｒｅ））
オフ−ローディング手続は、ｅＮＢにより提供されるＵＥが他のｅＮＢにより動作されるスモールセルを有する二重連結を作る連続的な動作として定義される。
【０２５６】
二重連結開始は、スモールセルを通じてｅＮＢからＵＥに追加的な経路を作るための作業である。
【０２５７】
同時に、二重連結のトラフィックをスモールセルに通過するためのｅＮＢの手続である。
【０２５８】
したがって、二重連結はハンドオーバー手続及びＥ−ＲＡＢ管理手続全ての特性を有する。
【０２５９】
Ｏｆｆ−ｌｏａｄｉｎｇ手続はＳｅＮＢから端末に無線資源を提供するために使用できる。
【０２６０】
即ち、Ｏｆｆ−ｌｏａｄｉｎｇ手続は新たなＳｅＮＢを追加してＳＣＧ  ｂｅａｒｅｒ／ｓｐｌｉｔ  ｂｅａｒｅｒまたはｓｍａｌｌ  ｃｅｌｌ  ｇｒｏｕｐ（ＳＣＧ）または１つ以上のｓｍａｌｌ  ｃｅｌｌを追加する手続を意味することができる。
【０２６１】
また、ｍａｃｒｏ  ｃｅｌｌとｓｍａｌｌ  ｃｅｌｌでｄｕａｌ  ｃｏｎｎｅｃｔｉｏｎが既に確立（ｅｓｔａｂｌｉｓｈ）された場合にも、Ｏｆｆ−ｌｏａｄｉｎｇ手続はＳｅＮＢにＯｆｆ−ｌｏａｄｉｎｇされるＥ−ＲＡＢ（ｓ）（ｅ．  ｇ．，  ＳＣＧ  ｂｅａｒｅｒ  ｏｒ  ｓｐｌｉｔ  ｂｅａｒｅｒ）を追加するか、または新たなＳＣＧまたは１つ以上のｓｍａｌｌ  ｃｅｌｌを新しく追加する手続を意味することができる。
【０２６２】
以下、本発明で提案する方法に参考することができるスモールセル（または、ＳｅＮＢ）追加と関連した手続について簡略に説明する。
【０２６３】
スモールセル追加手続はＳｅＮＢ追加手続として表現できる。また、ｒａｄｉｏ  ｒｅｓｏｕｒｃｅ  ｃｏｎｆｉｇｕｒａｔｉｏｎはＲＲＣ（Ｒａｄｉｏ  Ｒｅｓｏｕｒｃｅ  Ｃｏｎｔｒｏｌ）ｃｏｎｆｉｇｕｒａｔｉｏｎとして表現されることもできる。
【０２６４】
上記スモールセル追加手続はＭｅＮＢにより遂行され、上記ＳｅＮＢから端末に無線資源（ｒａｄｉｏ  ｒｅｓｏｕｒｃｅ）を提供するために上記ＳｅＮＢで端末ｃｏｎｔｅｘｔを確立するために使われる。
まず、端末はＭｅＮＢに測定報告を転送する。
【０２６５】
即ち、端末はサービングセルと隣のセルの受信信号強さを測定して周期的に報告するか、測定値がｍｅａｓｕｒｅｍｅｎｔ  ｃｏｎｆｉｇｕｒａｔｉｏｎにより与えられた条件を満たせばｍｅａｓｕｒｅｍｅｎｔ  ｅｖｅｎｔがｔｒｉｇｇｅｒｉｎｇされてＭｅＮＢにＭＥＡＳＵＲＥＭＥＮＴ  ＲＥＰＯＲＴを転送する。
【０２６６】
ハンドオーバー手続と同様に、ＭｅＮＢはｍｅａｓｕｒｅｍｅｎｔ  ｃｏｎｆｉｇｕｒａｔｉｏｎを端末に伝達して端末が如何なる測定情報をＭｅＮＢに報告すべきかを知らせることができる。上記ｍｅａｓｕｒｅｍｅｎｔ  ｃｏｎｆｉｇｕｒａｔｉｏｎは端末が基地局とＲＲＣ連結を設定する時、ＲＲＣ  Ｃｏｎｎｅｃｔｉｏｎ  Ｒｅｃｏｎｆｉｇｕｒａｔｉｏｎメッセージを通じて端末に提供できる。
【０２６７】
また、上記ｍｅａｓｕｒｅｍｅｎｔ  ｃｏｎｆｉｇｕｒａｔｉｏｎはｍｅａｓｕｒｅｍｅｎｔ  ｏｂｊｅｃｔ、ｒｅｐｏｒｔｉｎｇ  ｃｏｎｆｉｇｕｒａｔｉｏｎ、ｍｅａｓｕｒｅｍｅｎｔ  ＩＤ、ｑｕａｎｔｉｔｙ  ｃｏｎｆｉｇｕｒａｔｉｏｎ、ｍｅａｓｕｒｅｍｅｎｔ  ｇａｐを含むことができる。これと関連した具体的な説明は、前述した測定及び測定報告、図１１を参照する。
【０２６８】
ここで、測定するｓｍａｌｌ  ｃｅｌｌがｍａｃｒｏ  ｃｅｌｌのようなｃａｒｒｉｅｒ周波数を使用すれば（ｉｎｔｒａ−ｆｒｅｑｕｅｎｃｙ  ｎｅｉｇｈｂｏｒ  ｍｅａｓｕｒｅｍｅｎｔ）、端末はｍｅａｓｕｒｅｍｅｎｔ  ｇａｐ無しでｓｍａｌｌ  ｃｅｌｌを測定することができる。しかしながら、ｓｍａｌｌ  ｃｅｌｌがｍａｃｒｏ  ｃｅｌｌと異なるｃａｒｒｉｅｒ周波数を使用する場合（ｉｎｔｅｒ−ｆｒｅｑｕｅｎｃｙ  ｎｅｉｇｈｂｏｒ  ｍｅａｓｕｒｅｍｅｎｔ）、ｍｅａｓｕｒｅｍｅｎｔ  ｇａｐを用いてＵＬ／ＤＬ  ｉｄｌｅ  ｐｅｒｉｏｄの間、隣のセルの周波数に同期を合せて隣のセルを測定することができる。
【０２６９】
以後、上記ＭｅＮＢはＳｅＮＢにスモールセル追加要請（Ｓｍａｌｌ  Ｃｅｌｌ  Ａｄｄｉｔｉｏｎ    Ｒｅｑｕｅｓｔ）メッセージを転送する。上記スモールセル追加要請メッセージはＳｅＮＢ追加要請（ＳｅＮＢ  ＡＤＤＩＴＩＯＮ  ＲＥＱＵＥＳＴ）メッセージとして表現できる。
【０２７０】
上記スモールセル追加要請メッセージを転送する前に、上記ＭｅＮＢは端末から受信されたＭＥＡＳＵＲＥＭＥＮＴ  ＲＥＰＯＲＴメッセージに含まれた情報（例えば、ｎｅｉｇｈｂｏｒ  ｃｅｌｌの信号強さ情報と端末のｒａｄｉｏ  ｒｅｓｏｕｒｃｅ  ｍａｎａｇｅｍｅｎｔ（ＲＲＭ）情報など）に基づいてＳｅＮＢが端末に無線資源を割り当てるように要請するか否か、即ちＳｅＮＢに端末のトラフィックをｏｆｆ−ｌｏａｄｉｎｇするか否かを決定することができる。
【０２７１】
また、上記ＭｅＮＢは自身が管理している隣のセルリスト情報に基づいてどのＳｅＮＢにｏｆｆ−ｌｏａｄｉｎｇするかのターゲットｅＮＢ（即ち、ＳｅＮＢ）を決定することができる。
【０２７２】
上記スモールセル追加要請メッセージは、オフローディング要請（Ｏｆｆ−ｌｏａｄｉｎｇ  Ｒｅｑｕｅｓｔ）メッセージ、ＳｅＮＢ追加要請（ＳｅＮＢ  ＡＤＤＩＴＩＯＮ  ＲＥＱＵＥＳＴ）メッセージ、またはＳＣＧ追加要請（ＳＣＧ  ＡＤＤＩＴＩＯＮ  ＲＥＱＵＥＳＴ）メッセージとして表現できる。
【０２７３】
また、スモールセル追加要請メッセージはＵＥ  Ｃｏｎｔｅｘｔ情報、ＲＲＣ  ｃｏｎｔｅｘｔ情報などを含むことができる。
【０２７４】
ここで、上記ＭｅＮＢはＳｅＮＢが特定Ｅ−ＲＡＢ（即ち、ＳＣＧベアラー）を追加するための無線資源を端末に割り当てるように要請することができる。この場合、上記ＭｅＮＢはＳＣＧベアラー追加を要請するために上記スモールセル追加要請メッセージを通じてＥ−ＲＡＢ特徴（ｃｈａｒａｃｔｅｒｉｓｔｉｃｓ）を指示することができる。
【０２７５】
ここで、上記Ｅ−ＲＡＢ特徴（ｃｈａｒａｃｔｅｒｉｓｔｉｃｓ）はＥ−ＲＡＢパラメータ、ｔｒａｎｓｐｏｒｔ  ｎｅｔｗｏｒｋ  ｌａｙｅｒ（ＴＮＬ）ａｄｄｒｅｓｓ  ｉｎｆｏｒｍａｔｉｏｎ、ＭｅＮＢ無線資源と関連した情報、端末の（無線）能力を含むことができる。
【０２７６】
即ち、上記ＭｅＮＢはスモールセルを追加するか、またはスモールセルのために割り当てられる端末のｂｅａｒｅｒを修正する場合、上記ＭｅＮＢは上記ＭｅＮＢがｍａｃｒｏ  ｃｅｌｌのためにＲＲＣ  Ｃｏｎｆｉｇｕｒａｔｉｏｎを決定した以後に残っている別の（ｓｅｐａｒａｔｅｄ）端末能力を上記ＳｅＮＢに提供する。
【０２７７】
更に他の一例に、上記ＭｅＮＢはスモールセルを追加するか、またはスモールセルのために割り当てられる端末のｂｅａｒｅｒを修正する場合、上記ＭｅＮＢはｍａｃｒｏ  ｃｅｌｌのためのＲＲＣ  Ｃｏｎｆｉｇｕｒａｔｉｏｎを提供する。上記ＳｅＮＢは上記ＭｅＮＢから提供された情報を考慮して、ｍａｃｒｏ  ｃｅｌｌとｓｍａｌｌ  ｃｅｌｌに対する全体的なＲＲＣ  Ｃｏｎｆｉｇｕｒａｔｉｏｎが端末能力を超過しないようにｓｍａｌｌ  ｃｅｌｌに対するＲＲＣ  Ｃｏｎｆｉｇｕｒａｔｉｏｎを決定することができる。
【０２７８】
上記ＳｅＮＢは端末に無線資源割当が可能な場合、上記受信されたスモールセル追加要請メッセージに基づいてａｄｍｉｓｓｉｏｎ  ｃｏｎｔｒｏｌを遂行することができる。
【０２７９】
また、上記ＳｅＮＢはＥ−ＲＡＢ  ＱｏＳ  ｐａｒａｍｅｔｅｒ  ｉｎｆｏｒｍａｔｉｏｎ、Ｂｅａｒｅｒ  Ｓｐｌｉｔ／Ｂｅａｒｅｒ  Ｓｐｌｉｔ  Ｐｏｒｔｉｏｎ  ｉｎｆｏｒｍａｔｉｏｎを参照して無線資源を設定することができる。具体的に、ＭｅＮＢからＳＣＧ  ｂｅａｒｅｒの追加が要請された場合、ＳｅＮＢは受信されたＥ−ＲＡＢ  ＱｏＳ  ｐａｒａｍｅｔｅｒ  ｉｎｆｏｒｍａｔｉｏｎを考慮して端末に無線資源を割り当てることができる。
【０２８０】
一方、ＭｅＮＢからｓｐｌｉｔ  ｂｅａｒｅｒの追加が要請された場合、受信されたＥ−ＲＡＢ  ＱｏＳ  ｐａｒａｍｅｔｅｒ  ｉｎｆｏｒｍａｔｉｏｎだけでなく、Ｂｅａｒｅｒ  Ｓｐｌｉｔ  Ｐｏｒｔｉｏｎ情報を共に考慮してｓｍａｌｌ  ｃｅｌｌにａｌｌｏｗｅｄ（ｏｒ  ｉｍｐｏｓｅｄ）トラフィック比率に従って端末に無線資源を割り当てることができる。
【０２８１】
そして、上記ＳｅＮＢは端末のアップ／ダウンリンクトラフィックを転送するための転送ベアラー（ｔｒａｎｓｐｏｒｔ  ｂｅａｒｅｒ）を設定することができる。そして、ＳｅＮＢはＣ−ＲＮＴＩを予約することができ、端末がｓｍａｌｌ  ｃｅｌｌと同期化が必要であれば、ＲＡＣＨ  ｐｒｅａｍｂｌｅを予約することができる。
【０２８２】
以後、上記ＳｅＮＢは上記ＭｅＮＢに上記スモールセル追加要請メッセージに対する肯定応答としてスモールセル追加ＡＣＫ（Ａｃｋｎｏｗｌｅｄｇｅ）を転送する。上記スモールセル追加ＡＣＫはＳｅＮＢ追加要請ＡＣＫ（Ａｃｋｎｏｗｌｅｄｇｅ）として表現できる。
【０２８３】
ここで、上記スモールセル追加ＡＣＫは上記ＳｅＮＢにより決定された新たな無線資源設定（ｃｏｎｆｉｇｕｒａｔｉｏｎ）情報、または端末に転送されるｔｒａｎｓｐａｒｅｎｔ  ｃｏｎｔａｉｎｅｒを含むことができる。即ち、上記ＳｅＮＢは上記スモールセル追加ＡＣＫを通じてスモールセルＲＲＣ  Ｃｏｎｆｉｇｕｒａｔｉｏｎのためのａｓｓｉｓｔａｎｃｅ情報を上記ＭｅＮＢに転送することができる。
【０２８４】
以後、上記ＭｅＮＢは上記受信されたスモールセル追加ＡＣＫに基づいてＯｆｆ−ｌｏａｄｉｎｇまたはｄｕａｌ  ｃｏｎｎｅｃｔｉｖｉｔｙのためのＲＲＣ  Ｃｏｎｆｉｇｕｒａｔｉｏｎが適切であるか、なければ適切でないかを確認する。
【０２８５】
即ち、上記ＭｅＮＢはｄｕａｌ  ｃｏｎｎｅｃｔｉｏｎのためにｍａｃｒｏ  ｃｅｌｌでＲＲＣ  Ｃｏｎｆｉｇｕｒａｔｉｏｎを考慮する時、スモールセル領域で（または、ＳｅＮＢで）ＲＲＣ  Ｃｏｎｆｉｇｕｒａｔｉｏｎ値が端末能力または上記ＭｅＮＢのＲＲＣ  Ｃｏｎｆｉｇｕｒａｔｉｏｎ政策に違反するか否かを確認する。
【０２８６】
以後、上記ＭｅＮＢは上記確認結果によって、上記ＳｅＮＢにスモールセル追加取消（Ｃａｎｃｅｌａｔｉｏｎ）メッセージを転送するか、ＲＲＣ  Ｃｏｎｆｉｇｕｒａｔｉｏｎ  Ｃｏｍｐｌｅｔｅメッセージを転送する。上記スモールセル追加取消メッセージはＳｅＮＢ追加取消メッセージで、上記ＲＲＣ  ＣｏｎｆｉｇｕｒａｔｉｏｎＣｏｍｐｌｅｔｅメッセージはＳｅＮＢ  Ｒｅｃｏｎｆｉｇｕｒａｔｉｏｎ  Ｃｏｍｐｌｅｔｅメッセージとして表現できる。
【０２８７】
即ち、上記確認結果、上記ＲＲＣ  Ｃｏｎｆｉｇｕｒａｔｉｏｎが適切でないと判断される場合、上記ＭｅＮＢは上記ＳｅＮＢにスモールセル追加取消（Ｃａｎｃｅｌａｔｉｏｎ）メッセージを転送する。
【０２８８】
上記ＭｅＮＢは、端末に新たなＲＲＣ  ｃｏｎｆｉｇｕｒａｔｉｏｎを適用するために上記端末にＲＲＣ  Ｒｅｃｏｎｆｉｇｕｒａｔｉｏｎメッセージを転送する。
【０２８９】
上記ＲＲＣ  Ｒｅｃｏｎｆｉｇｕｒａｔｉｏｎメッセージは、上記ＳｅＮＢにより割り当てられたｓｍａｌｌ  ｃｅｌｌ  ｃｏｎｆｉｇｕｒａｔｉｏｎ情報を含むことができる。上記ｓｍａｌｌ  ｃｅｌｌ  ｃｏｎｆｉｇｕｒａｔｉｏｎ情報は、特定Ｅ−ＲＡＢのための新たなｒａｄｉｏ  ｒｅｓｏｕｒｃｅ  ｃｏｎｆｉｇｕｒａｔｉｏｎ情報を意味する。
【０２９０】
以後、上記端末はＭｅＮＢから受信されたＲＲＣ  Ｒｅｃｏｎｆｉｇｕｒａｔｉｏｎメッセージによって新たなＲＲＣ  ｒｅｃｏｎｆｉｇｕｒａｔｉｏｎを適用し始めて、上記ＭｅＮＢにＲＲＣ  Ｒｅｃｏｎｆｉｇｕｒａｔｉｏｎが成功的に完了したことを知らせるＲＲＣ  （Ｃｏｎｎｅｃｔｉｏｎ）  Ｒｅｃｏｎｆｉｇｕｒａｔｉｏｎ  Ｃｏｍｐｌｅｔｅメッセージを転送する。
【０２９１】
以後、上記ＭｅＮＢは上記ＳｅＮＢに上記端末のＲＲＣ  Ｒｅｃｏｎｆｉｇｕｒａｔｉｏｎが完了したことを知らせるＲＲＣ  Ｃｏｎｆｉｇｕｒａｔｉｏｎ  Ｃｏｍｐｌｅｔｅメッセージを転送する。
【０２９２】
以後、上記ＭｅＮＢはＳｅＮＢにｄａｔａ  ｆｏｒｗａｒｄｉｎｇを遂行し、上記端末に対するｐａｃｋｅｔ  ｄａｔａをＳｅＮＢに伝達することができる。
【０２９３】
ここで、上記ＭｅＮＢは上記ｄａｔａ  ｆｏｒｗａｒｄｉｎｇを上記ＲＲＣ  （Ｃｏｎｎｅｃｔｉｏｎ）  Ｒｅｃｏｎｆｉｇｕｒａｔｉｏｎメッセージを上記端末に転送するか、またはスモールセル追加ＡＣＫを上記ＳｅＮＢから受信した場合に遂行することができる。
【０２９４】
また、上記端末がＳｅＮＢのｃｅｌｌに同期を合わせる必要がある場合、上記ｄａｔａ  ｆｏｒｗａｒｄｉｎｇは端末とＳｅＮＢとの間の同期化手続（ｅ．  ｇ．  ｒａｎｄｏｍ  ａｃｃｅｓｓ  ｐｒｏｃｅｄｕｒｅ）を完了した以後に遂行されることもできる。
【０２９５】
異種ネットワーク環境、即ちマクロセル（または、ＭｅＮＢ）とスモールセル（または、ＳｅＮＢ）が共存するネットワーク環境で特定領域内の多数のスモールセルが（密集）配置される場合、図１６から図１８のようなｕｓｅ  ｃａｓｅが発生できる。
【０２９６】
以下、図１６から図１８でのｕｓｅ  ｃａｓｅで発生できるｐａｃｋｅｔ  ｄａｔａ転送関連経路変更問題について図１９から図２１を参照して説明し、これを解決するための方法について図２２から図２５を参照して具体的に説明する。
【０２９７】
（Ｕｓｅ  Ｃａｓｅ１）
図１６は、本発明で提案する方法が適用できるサービス移動と関連したｕｓｅ  ｃａｓｅの一例を示す図である。
【０２９８】
即ち、図１６は端末が特定スモールセル（または、Ｓｅｃｏｎｄａｒｙ  ｅＮＢ：ＳｅＮＢ）を通じて提供を受けるサービスが他のスモールセルに移動して上記他のスモールセルから上記端末に続いて該当サービスを提供する場合の一例を示す。
【０２９９】
図１６で説明するｕｓｅ  ｃａｓｅはＳｅＮＢ（または、スモールセル）変更（ｃｈａｎｇｅ）または修正（Ｍｏｄｉｆｉｃａｔｉｏｎ）手続と同一でありうる。
【０３００】
したがって、図１６の各ステップで使われるメッセージまたは情報はＳｅＮＢ  ＣｈａｎｇｅまたはＭｏｄｉｆｉｃａｔｉｏｎ  Ｐｒｏｃｅｄｕｒｅで使われるメッセージまたは情報を用いることができる。
【０３０１】
または、ｕｓｅ  ｃａｓｅ１は新しくサービスを提供するスモールセルと関連してはスモールセル追加手続、サービスが移動する既存のスモールセルと関連してはスモールセル解除手続と同一でありうる。
【０３０２】
即ち、図１６の各ステップで使われるメッセージまたは情報はＳｅＮＢ  Ａｄｄｉｔｉｏｎ  ＰｒｏｃｅｄｕｒｅとＳｅＮＢ  Ｒｅｌｅａｓｅ  Ｐｒｏｃｅｄｕｒｅで使われるメッセージまたは情報を用いることができる。
【０３０３】
図１６に示すように、端末は二重連結（ｄｕａｌ  ｃｏｎｎｅｃｔｉｖｉｔｙ：ＤＣ）動作により２つサービス（サービス１及びサービス２）をマクロｅＮＢ１及びスモールセル１から提供を受けている。
【０３０４】
即ち、上記端末はマクロｅＮＢ１からサービス１の提供を受けて、上記スモールセル１（ＳｅＮＢ）からサービス２の提供を受けている。
【０３０５】
特定環境、特に、マクロｅＮＢ１のカバレッジ内の多数のスモールセルが配置される環境では端末の移動などによってスモールセル間のハンドオーバーのような現象が発生できる。
【０３０６】
図１６で、端末のセル内の移動によってスモールセル１からスモールセル２にハンドオーバーが発生して、端末に提供されるサービス２はスモールセル１からスモールセル２に変更されて提供できる。
【０３０７】
サービス１の場合、端末がマクロｅＮＢ１カバレッジ領域内で移動するため、続いてマクロｅＮＢ１を通じて上記端末に提供される。
【０３０８】
また、上記マクロｅＮＢ１はスモールセル１（または、ＳｅＮＢ１）及びスモールセル２（ＳｅＮＢ２）と各々Ｘｎインターフェースを介して連結される。
【０３０９】
（Ｕｓｅ  Ｃａｓｅ２）
図１７は、本発明で提案する方法が適用できるサービス移動と関連した更に他のｕｓｅ  ｃａｓｅの一例を示す。
【０３１０】
即ち、図１７はマクロ基地局を通じて提供を受けるサービスのうち、一部サービスがスモールセルに移動して端末に提供される場合の一例を示す。
【０３１１】
図１７の手続はスモールセル追加手続またはＳｅＮＢ  Ａｄｄｉｔｉｏｎ  Ｐｒｏｃｅｄｕｒｅと同一でありうる。
【０３１２】
したがって、図１７の手続で使われるメッセージまたは情報はＳｅＮＢ  Ａｄｄｉｔｉｏｎ  Ｐｒｏｃｅｄｕｒｅで使われるメッセージまたは情報を用いることができる。
【０３１３】
図１７に示すように、端末はマクロｅＮＢ１を通じてサービス１及びサービス２の提供を受ける。
【０３１４】
以後、端末の移動など、特定状況が発生した場合、サービス２はマクロｅＮＢ１からスモールセル２に移動する。即ち、上記端末はマクロｅＮＢ１からサービス１を、スモールセル２からサービス２の提供を受ける。
【０３１５】
ここで、上記マクロｅＮＢ１はスモールセル２とＸｎインターフェースを介して連結されている。
【０３１６】
（Ｕｓｅ  Ｃａｓｅ３）
図１８は、本発明で提案する方法が適用できるサービス移動と関連した更に他のｕｓｅ  ｃａｓｅの一例を示す。
【０３１７】
即ち、図１８はスモールセルを通じて提供を受けるサービスがマクロ基地局にまた移動して端末に提供される場合の一例を示す。
【０３１８】
図１８の場合はスモールセル解除手続またはＳｅＮＢ  Ｒｅｌｅａｓｅ  Ｐｒｏｃｅｄｕｒｅと同一でありうる。
【０３１９】
したがって、図１８の手続で使われるメッセージまたは情報はＳｅＮＢ  Ｒｅｌｅａｓｅ  Ｐｒｏｃｅｄｕｒｅで使われるメッセージまたは情報を用いることができる。
【０３２０】
図１８に示すように、端末はマクロｅＮＢ１からサービス１を、スモールセル１からサービス２の提供を受けている。
【０３２１】
以後、端末の移動など、特定状況が発生する場合、上記端末は上記サービス１及び上記サービス２両方ともに対して上記マクロｅＮＢ１から提供を受けるようになる。
【０３２２】
上記特定状況は端末が移動してスモールセル１のカバレッジを逸脱する場合でありうる。
【０３２３】
ここで、マクロｅＮＢ１はスモールセル１とＸｎインターフェースを介して連結される。
【０３２４】
図１６から図１８のｕｓｅ  ｃａｓｅ１から３の場合、端末の移動などによってＳｅＮＢ間、またはＳｅＮＢとマクロｅＮＢとの間のサービス移動時、サービスの経路変更事実をサービングＧＷで認知できない問題が発生できる。
【０３２５】
即ち、サービングＧＷは上記Ｕｓｅ  Ｃａｓｅで、端末にサービスを提供する基地局の変更を感知できなくて、端末に正しくサービスを提供できないことがある。
【０３２６】
したがって、ＳｅＮＢまたはＭｅＮＢへのサービス移動が発生する場合、サービングＧＷがサービス移動事実を知るようにするための手続が新しく定義される必要がある。
【０３２７】
以下、図１９から図２１は、各Ｕｓｅ  ＣａｓｅでＳｅＮＢ間、またはＳｅＮＢに、またはＭｅＮＢにサービス移動時、発生するサービスの経路変更問題（Ｐａｔｈ  Ｃｈａｎｇｅ  Ｐｒｏｂｌｅｍ）を示している。
【０３２８】
図１９は、図１６のＵｓｅ  Ｃａｓｅで発生できるサービス経路変更問題の一例を示す図である。
【０３２９】
異種ネットワーク環境で、図１６のＵｓｅ  Ｃａｓｅが可能であるために、即ち特定スモールセルで提供するサービスが他のスモールセルに移動して端末のｄｕａｌ  ｃｏｎｎｅｃｔｉｖｉｔｙ  ｏｐｅｒａｔｉｏｎを続いてサポートするためには、図１９で図示された経路変更問題の解決が必要である。
【０３３０】
サービス提供関連経路変更問題の解決が必要な理由は、スモールセルを含む異種ネットワーク環境で端末がスモールセルに移動する場合、ターゲットｅＮＢでない（ソース）マクロｅＮＢによりサービス移動と関連した事項が制御されるので、元のＸ２ハンドオーバーの経路変更（Ｐａｔｈ  Ｓｗｉｔｃｈ）とは異なる。
【０３３１】
即ち、サービングＧＷにＥ−ＲＡＢに対する変更が知られる必要がある。
【０３３２】
図１９を参考すると、サービングＧＷはサービス１に対するパケットデータ（ｐａｃｋｅｔ  ｄａｔａ）をマクロｅＮＢ１に提供し（Ｓ１９０１）、マクロｅＮＢ１は上記サービス１に対するパケットデータを端末に転送する（Ｓ１９０２）。
【０３３３】
そして、上記サービングＧＷはサービス２に対するパケットデータをスモールセル１（ＳｅＮＢ１）に提供し（Ｓ１９０３）、上記スモールセル１は上記サービス２に対するパケットデータを上記端末に転送する（Ｓ１９０４）。
【０３３４】
以後、上記マクロｅＮＢ１は上記端末に測定制御（Ｍｅａｓｕｒｅｍｅｎｔ  Ｃｏｎｔｒｏｌ）を転送し（Ｓ１９０５）、上記端末は上記受信された測定制御に基づいて上記マクロｅＮＢ１に測定結果を報告する（Ｓ１９０６）。
【０３３５】
Ｓ１９０５及びＳ１９０６と関連した具体的な説明は、前述した測定、測定報告、及び図８を参照する。
【０３３６】
以後、上記マクロｅＮＢ１はスモールセル１におけるサービスをスモールセル２で提供するためのサービスの移動を決定する（Ｓ１９０７）。即ち、前述したように、サービスと関連した制御は上記マクロｅＮＢ１により遂行される。
【０３３７】
以後、上記マクロｅＮＢ１は上記スモールセル１から上記端末に提供するサービス２に対するサービス移動のためにスモールセル２にサービス要請（Ｓｅｒｖｉｃｅ  Ｒｅｑｕｅｓｔ）を転送する（Ｓ１９０８）。ここで、上記サービス要請は一部サービスに対するハンドオーバー遂行のためのものである。
【０３３８】
上記サービス要請は、スモールセル（または、ＳｅＮＢ）変更（または、修正）と関連したものであって、上記サービス要請はスモールセル修正要請、ＳｅＮＢ  Ｍｏｄｉｆｉｃａｔｉｏｎ  Ｒｅｑｕｅｓｔメッセージ、ＳｅＮＢ  Ｃｈａｎｇｅ  Ｒｅｑｕｅｓｔメッセージ、ＳｅＮＢ  Ａｄｄｉｔｉｏｎ  Ｒｅｑｕｅｓｔメッセージなどで表現できる。
【０３３９】
以後、上記スモールセル２は上記受信されたサービス要請に対する応答としてサービス要請ＡＣＫを上記マクロｅＮＢ１に転送する（Ｓ１９０９）。上記サービス要請ＡＣＫは必要な場合に限り、上記マクロｅＮＢ１に転送できる。
【０３４０】
上記サービス要請ＡＣＫはスモールセル修正ＡＣＫ、ＳｅＮＢ  Ｍｏｄｉｆｉｃａｔｉｏｎ  Ｒｅｑｕｅｓｔ  Ａｃｋｎｏｗｌｅｄｇｅ、またはＳｅＮＢ  Ａｄｄｉｔｉｏｎ  Ｒｅｑｕｅｓｔ  Ａｃｋｎｏｗｌｅｄｇｅとして表現できる。
【０３４１】
図１９に示すように、スモールセル１からスモールセル２に端末に提供するサービスが移動した場合、現在サービングＧＷでサービスの移動を知ることができる手続（サービスの経路変更問題が解決できる手続）が正しく定義されていない。
【０３４２】
したがって、サービングＧＷはサービス移動を感知できなくて、続いてスモールセル１にサービス２に対するパケットデータを転送するようになる問題が発生する。
【０３４３】
図２０は、図１７のＵｓｅ  Ｃａｓｅで発生できるサービス経路変更問題の一例を示す図である。
【０３４４】
同様に、異種ネットワーク環境で図１７のＵｓｅ  Ｃａｓｅが可能であるために、即ちマクロ基地局で提供するサービスのうちの少なくとも１つが他のスモールセル（または、ＳｅＮＢ）に移動して端末に続いてサービスが提供されるためには、図２０で図示されたサービスの経路変更問題の解決が必要である。
【０３４５】
即ち、サービングＧＷにＥ−ＲＡＢに対する変更が知られることができる手続が定義される必要がある。
【０３４６】
図２０を参考すると、サービングＧＷはサービス１に対するパケットデータ（ｐａｃｋｅｔ  ｄａｔａ）及びサービス２に対するパケットデータをマクロｅＮＢ１に提供し（Ｓ２００１）、上記マクロｅＮＢ１は上記サービス１及びサービス２に対するパケットデータを端末に転送する（Ｓ２００２）。
【０３４７】
Ｓ２００３及びＳ２００４は、図１９のＳ１９０５及びＳ１９０６と同一であるので、具体的な説明は省略する。
【０３４８】
以後、上記マクロｅＮＢ１は上記端末に提供するサービスのうち、一部のサービスに対してスモールセルへの移動を決定する（Ｓ２００５）。
【０３４９】
以後、上記マクロｅＮＢ１は上記端末に提供するサービスのうち、サービス２に対してスモールセル２に移動して端末に続いて提供されるようにするために、スモールセル２にサービス要請（Ｓｅｒｖｉｃｅ  Ｒｅｑｕｅｓｔ）を転送する（Ｓ２００６）。ここで、
上記サービス要請は一部サービスのハンドオーバーのためのものである。
【０３５０】
図２０の場合、スモールセル２（または、ＳｅＮＢ）を追加するものであって、上記サービス要請はスモールセル追加要請、またはＳｅＮＢ  Ａｄｄｉｔｉｏｎ  Ｒｅｑｕｅｓｔメッセージとして表現されることもできる。
【０３５１】
以後、上記スモールセル２は上記受信されたサービス要請に対する応答として、サービス要請ＡＣＫを上記マクロｅＮＢ１に転送する（Ｓ２００７）。上記サービス要請ＡＣＫは必要な場合に限り、上記マクロｅＮＢ１に転送されることもできる。
【０３５２】
上記サービス要請ＡＣＫは、スモールセル追加ＡＣＫまたはＳｅＮＢ  Ａｄｄｉｔｉｏｎ  Ａｃｋｎｏｗｌｅｄｇｅとして表現されることもできる。
【０３５３】
同様に、マクロ基地局からＳｅＮＢに端末に提供するサービスが移動した場合、現在サービングＧＷでサービスの移動を知ることができる手続が正しく定義されていない。
【０３５４】
したがって、サービングＧＷはマクロ基地局からＳｅＮＢへのサービス移動を感知できなくて、続いてマクロｅＮＢ１にサービス２に対するパケットデータを転送する問題が発生するようになる。
【０３５５】
図２１は、図１８のＵｓｅ  Ｃａｓｅで発生できるサービス経路変更問題の一例を示す図である。
【０３５６】
同様に、異種ネットワーク環境で図１８のＵｓｅ  Ｃａｓｅが可能であるために、即ちスモールセルで提供するサービスがマクロ基地局にまた移動して端末に続いてサービスが提供されるためには、図２１で図示されたサービスの経路変更問題の解決が必要である。
【０３５７】
即ち、サービングＧＷにＥ−ＲＡＢに対する変更が知られることができる手続が定義される必要がある。
【０３５８】
図２１を参考すると、サービングＧＷはサービス１に対するパケットデータ（ｐａｃｋｅｔ  ｄａｔａ）をマクロｅＮＢ１に提供し（Ｓ２１０１）、マクロｅＮＢ１は上記サービス１に対するパケットデータを端末に転送する（Ｓ２１０２）。
【０３５９】
そして、上記サービングＧＷはサービス２に対するパケットデータをスモールセル１に提供し（Ｓ２１０３）、上記スモールセル１は上記サービス２に対するパケットデータを上記端末に転送する（Ｓ２１０４）。
【０３６０】
Ｓ２１０５及びＳ２１０６は、図１９のＳ１９０５及びＳ１９０６と同一であるので、具体的な説明は省略する。
【０３６１】
以後、上記マクロｅＮＢ１は上記スモールセル１で提供するサービスをまたマクロｅＮＢ１により提供されるようにするためのサービスの移動を決定する（Ｓ２１０７）。
【０３６２】
以後、上記マクロｅＮＢ１は上記スモールセル１から上記端末に提供されるサービス２に対してマクロｅＮＢ１にサービスの移動のために、上記スモールセル１にサービス不活性（Ｓｅｒｖｉｃｅ  Ｄｅａｃｔｉｖａｔｉｏｎ）を転送する（Ｓ２１０８）。ここで、上記サービス不活性はスモールセル１でのサービス中断のためのものである。
【０３６３】
上記サービス不活性はスモールセルでのサービス解除のためのものであって、スモールセル解除要請またはＳｅＮＢ  Ｒｅｌｅａｓｅ  Ｒｅｑｕｅｓｔメッセージとして表現できる。
【０３６４】
以後、上記スモールセル１は上記受信されたサービス不活性に対する応答としてサービス不活性ＡＣＫを上記マクロｅＮＢ１に転送する（Ｓ２１０９）。上記サービス不活性ＡＣＫは必要な場合に限り、上記マクロｅＮＢ１に転送されることもできる。
【０３６５】
上記サービス不活性ＡＣＫはＳｅＮＢ  Ｒｅｌｅａｓｅ  ＲｅｑｕｅｓｔＡｃｋｎｏｗｌｅｄｇｅメッセージとして表現されることもできる。
【０３６６】
同様に、スモールセルでのサービスがマクロ基地局にサービス移動した場合、サービングＧＷが上記サービス移動に対する状況を感知できる手続が定義されていないので、マクロ基地局にサービス移動が発生しても端末に正しくサービスが提供できないという問題がある。
【０３６７】
即ち、サービングＧＷはこのような事実を感知できないので、続いてスモールセル１にサービス２に対するパケットデータを転送するようになる。
【０３６８】
以下、図１９から図２１で発生するサービスの経路変更問題を解決するために、サービングＧＷがサービスの移動を知ることができるようにするための方法について具体的に説明する。
【０３６９】
即ち、サービングＧＷで発生するサービスの経路変更問題を解決するための方法について説明する。
【０３７０】
まず、図２２を通じて各Ｕｓｅ  Ｃａｓｅに対して全て適用可能なサービスの経路変更問題の解決のための方法について説明し、図２３から図２５を通じて各々のＵｓｅ  Ｃａｓｅでの問題解決方法について具体的に説明する。
【０３７１】
図２２は、本発明で提案する異種ネットワーク環境における基地局間のサービスの移動を可能にするための方法の一例を示す流れ図である。
【０３７２】
まず、マクロｅＮＢはＳｅＮＢ間、またはＳｅＮＢに、またはマクロｅＮＢに端末に提供しているサービスの移動を決定した場合、サービングＧＷにサービスの移動を知らせるためのスモールセル経路情報通知（Ｓｍａｌｌ  Ｃｅｌｌ  Ｐａｔｈ  Ｉｎｆｏｒｍａｔｉｏｎ  Ｎｏｔｉｆｙ）メッセージをＭＭＥに転送する（Ｓ２２０１）。
【０３７３】
上記スモールセル経路情報通知メッセージの表現は一例であり、マクロｅＮＢがＭＭＥにサービスの移動を知らせるための目的として転送される全ての形態のメッセージまたは情報要素が上記スモールセル経路情報通知メッセージに代わって使用できる。
【０３７４】
上記スモールセル経路情報通知メッセージは、サービス移動と関連したＥ−ＲＡＢ（Ｅ−ＵＴＲＡＮ  Ｒａｄｉｏ  Ａｃｃｅｓｓ  Ｂｅａｒｅｒ）情報及びセル情報、即ち以下の情報を含むことができる。
１．ダウンリンクリストで変更されなければならないＥ−ＲＡＢ（Ｅ−ＲＡＢ  ｔｏ  ｂｅ  ｓｗｉｔｃｈｅｄ  ｉｎ  ｄｏｗｎｌｉｎｋ  ｌｉｓｔ）
−ダウンリンク項目で変更されるＥ−ＲＡＢに対する情報要素（Ｅ−ＲＡＢｓ  ｓｗｉｔｃｈｅｄ  ｉｎ  ｄｏｗｎｌｉｎｋ  Ｉｔｅｍ  ＩＥｓ）：Ｅ−ＲＡＢ  ＩＤ、Ｔｒａｎｓｐｏｒｔ  Ｌａｙｅｒ  ａｄｄｒｅｓｓ、ＧＴＰ（Ｇｅｎｅｒａｌ  Ｐａｃｋｅｔ  Ｒａｄｉｏ  Ｓｅｒｖｉｃｅ  Ｔｕｎｎｅｌｌｉｎｇ  Ｐｒｏｔｏｃｏｌ）−ＴＥＩＤ（Ｔｕｎｎｅｌｌｉｎｇ  Ｅｎｄｐｏｉｎｔ  Ｉｄｅｎｔｉｆｉｅｒ）
上記Ｅ−ＲＡＢ  ＩＤはサービス追加が許容されるＥ−ＲＡＢ（Ｅ−ＲＡＢｓ  Ａｄｍｉｔｔｅｄ  ｔｏ  Ｂｅ  Ａｄｄｅｄ）を示し、上記Ｔｒａｎｓｐｏｒｔ  Ｌａｙｅｒ  Ａｄｄｒｅｓｓはユーザプレーン転送のために使われるＩＰアドレスを示す。
また、ＴＥＩＤはＴｕｎｎｅｌ  Ｅｎｄｐｏｉｎｔを識別するための識別子（Ｉｄｅｎｔｉｆｉｅｒ）を示す。
２．スモールセルＩＤ（サービス変更前にサービスを提供しているスモールセルのＩＤ）
３．新たなスモールセルのセルＩＤ（サービス変更後に新しくサービスを提供するスモールセルのＩＤ）
４．経路変更要請メッセージ（Ｐａｔｈ  Ｓｗｉｔｃｈ  Ｒｅｑｕｅｓｔ  Ｍｅｓｓａｇｅ）が使われる場合、該当メッセージがスモールセル経路変更に対する情報であるとＭＭＥに通知するための指示情報（Ｉｎｄｉｃａｔｉｏｎ  ｆｏｒ  ｎｏｔｉｆｙｉｎｇ  ＭＭＥ  ｔｈａｔ  ｉｔ  ｉｓ  ｓｍａｌｌ  ｃｅｌｌ  ｐａｔｈ  ｓｗｉｔｃｈ  ｉｎｆｏｒｍａｔｉｏｎ  ｉｆ  Ｐａｔｈ  Ｓｗｉｔｃｈ  Ｒｅｑｕｅｓｔ  Ｍｅｓｓａｇｅ  ｉｓ  ｕｓｅｄ）
【０３７５】
上記スモールセル経路情報通知メッセージは、新たなメッセージ形態または既存に存在するメッセージ内の新たな情報要素として含まれて転送できる。
【０３７６】
以後、上記ＭＭＥは要請される接続ｂｅａｒｅｒに対する修正のためにサービングＧＷにスモールセルのためのユーザプレーンアップデート要請（Ｕｓｅｒ  Ｐｌａｎｅ  Ｕｐｄａｔｅ  Ｒｅｑｕｅｓｔ）メッセージを転送する（Ｓ２２０２）。
【０３７７】
上記ユーザプレーンアップデート要請メッセージは、要請される接続ｂｅａｒｅｒに対する修正のために必要とする情報が含まれることができる。即ち、サービス移動前、スモールセルＩＤとサービス移動後の新たなセルＩＤが課金または他の目的のために含まれることができる。
【０３７８】
これを通じて、ｂｅａｒｅｒ  ｃｏｎｔｅｘｔが修正及び除去できる。
【０３７９】
以後、上記サービングＧＷは上記ＭＭＥに上記ユーザプレーンアップデート要請メッセージに対する応答を転送する（Ｓ２２０３）。
【０３８０】
以後、上記ＭＭＥは上記マクロｅＮＢ１に上記スモールセル経路情報通知に対する応答としてスモールセル経路情報通知応答を転送する（Ｓ２２０４）。
【０３８１】
上記スモールセル経路情報通知応答は、以下のようなＥ−ＲＡＢ関連情報を含むことができる。
１．アップリンクリストで変更されなければならないＥ−ＲＡＢ（Ｅ−ＲＡＢ  ｔｏ  ｂｅ  ｓｗｉｔｃｈｅｄ  ｉｎ  ｕｐｌｉｎｋ  ｌｉｓｔ）
−アップリンク項目で変更されるＥ−ＲＡＢに対する情報要素（Ｅ−ＲＡＢｓ  ｓｗｉｔｃｈｅｄ  ｉｎ  ｕｐｌｉｎｋ  Ｉｔｅｍ  ＩＥｓ）：Ｅ−ＲＡＢ  ＩＤ、Ｔｒａｎｓｐｏｒｔ  Ｌａｙｅｒ  ａｄｄｒｅｓｓ、ＧＴＰ−ＴＥＩＤ
ＥＰＣがＵＬＴＥＩＤなどを変更することに決定する場合に使われる。
２．解除されなければならないＥ−ＲＡＢリスト（Ｅ−ＲＡＢ  ｔｏ  ｂｅ  Ｒｅｌｅａｓｅｄ  Ｌｉｓｔ（ｕｓｅｄ  ｉｎ  ｃａｓｅ  ｔｈａｔ  ＥＰＣ  ｆａｉｌｅｄ  ｔｏ  ｐｅｒｆｏｒｍ  ｕｓｅｒ  ｐｌａｎｅ  ｐａｔｈ  ｓｗｉｔｃｈ  ｆｏｒ  ａｔ  ｌｅａｓｔ  ｏｎｅ））
：ＥＰＣが少なくても１つのためにユーザプレーン経路スイッチを遂行できない場合に使われて、この情報は他のＥ−ＲＡＢ関連メッセージにより転送されることもできる。
【０３８２】
同様に、上記スモールセル経路情報通知応答は新たなメッセージ形態または既存の存在するメッセージ内の新たな情報要素として含まれて転送できる。
【０３８３】
ＥＰＣでトンネルのアップリンク終了地点（Ｕｐｌｉｎｋ  Ｔｕｎｎｅｌ  Ｅｎｄｐｏｉｎｔ）を変更することに決定した場合、アップリンクトンネル終了地点を変更することを希望する各々のＥ−ＲＡＢのためにアップリンクＧＴＰ−ＴＥＩＤと新たなアップリンク転送階層アドレスを具体化するために、スモールセル経路情報通知応答（メッセージ）内にアップリンクリスト情報要素で変更されなければならないＥ−ＲＡＢを含むことができる。
【０３８４】
ＥＰＣは全てではないが、ダウンリンク情報要素内に変更されなければならないＥ−ＲＡＢ内に含まれるＥ−ＲＡＢのうち、少なくとも１つのためにユーザプレーン経路変更を遂行できなかった場合に、ＭＭＥは解除されなければならないＥ−ＲＡＢリスト情報要素内にスモールセル経路情報通知応答内にユーザプレーン経路変更を遂行できないＥ−ＲＡＢを含まなければならない。
【０３８５】
この場合、スモールセルは該当データ無線ベアラーを解除し、上記スモールセルは解除されなければならないリスト情報要素のＥ−ＲＡＢで指示されるＥ−ＲＡＢを完全に解除されたと見なす。
【０３８６】
以後、上記マクロｅＮＢ１は上記ＳｅＮＢ（ｓｍａｌｌ  ｃｅｌｌ）にＥ−ＲＡＢ情報通知（Ｅ−ＲＡＢ  ｉｎｆｏｒｍａｔｉｏｎ  ｎｏｔｉｆｙ）メッセージを転送する（Ｓ２２０５）。
【０３８７】
上記Ｅ−ＲＡＢ情報通知メッセージはＥ−ＲＡＢ  ｉｎｆｏｒｍａｔｉｏｎと関連した以下の情報を含むことができる。
１．アップリンクリストで変更されなければならないＥ−ＲＡＢ（Ｅ−ＲＡＢ  ｔｏ  ｂｅ  ｃｈａｎｇｅｄ  ｉｎ  ｕｐｌｉｎｋ  ｌｉｓｔ）
−Ｅ−ＲＡＢｓ  ｃｈａｎｇｅｄ  ｉｎ  ｕｐｌｉｎｋ  Ｉｔｅｍ  ＩＥｓ：Ｅ−ＲＡＢ  ＩＤ、Ｔｒａｎｓｐｏｒｔ  Ｌａｙｅｒ  ａｄｄｒｅｓｓ、ＧＴＰ−ＴＥＩＤ
：ＥＰＣがＵＬ  ＴＥＩＤなどを変更することに決定する場合に使われる。
２．解除されなければならないＥ−ＲＡＢリスト（Ｅ−ＲＡＢ  ｔｏ  ｂｅ  Ｒｅｌｅａｓｅｄ  Ｌｉｓｔ）
：ＥＰＣが少なくても１つのためにユーザプレーン経路スイッチを遂行できない場合に使われて、該当情報は他のＥ−ＲＡＢ関連メッセージにより転送されることもできる。
【０３８８】
上記他のＥ−ＲＡＢ関連メッセージは、一例に、ＳｅＮＢ  ＭｏｄｉｆｉｃａｔｉｏｎメッセージまたはＳｅＮＢ  Ｒｅｌｅａｓｅメッセージでありうる。
【０３８９】
上記Ｅ−ＲＡＢ情報通知メッセージは、新たなメッセージ形態または既存の存在するメッセージ内の新たな情報要素として含まれて転送できる。
【０３９０】
上記Ｅ−ＲＡＢ情報通知メッセージは、図１８のＵｓｅ  Ｃａｓｅ３では転送されないこともある。
【０３９１】
スモールセルはアップリンクリストで変更されなければならないＥ−ＲＡＢの通知に基づいて、各Ｅ−ＲＡＢのためにＴＥＩＤ（Ｔｕｎｎｅｌ  Ｅｎｄｐｏｉｎｔ  Ｉｄｅｎｔｉｆｉｅｒ）をアップデートする。
【０３９２】
また、スモールセルは解除されなければならないリスト情報要素内のＥ−ＲＡＢでの該当データ無線ベアラーを解除し、上記スモールセルは解除されなければならないリスト情報要素のＥ−ＲＡＢで指示されるＥ−ＲＡＢが完全に解除されたと見なす。
【０３９３】
次に、上記Ｕｓｅ  Ｃａｓｅ１、即ち特定スモールセルで他のスモールセルにサービス移動時、サービスの経路変更問題を解決するための方法について図２３を参照して説明する。
【０３９４】
図２３は、本発明で提案する異種ネットワーク環境における他のスモールセルにサービスの移動を遂行するための方法の一例を示す流れ図である。
【０３９５】
Ｓ２３０１からＳ２３０９は、図１９のＳ１９０１からＳ１９０９と同一であるので、具体的な説明は省略する。
【０３９６】
Ｓ２３０９の以後、マクロｅＮＢ１はスモールセル１（または、ＳｅＮＢ１）にスモールセル１から端末に提供しているサービスの不活性のための指示情報を転送する（Ｓ２３１０）。
【０３９７】
上記指示情報は、サービス不活性メッセージ、ＳｅＮＢ  Ｒｅｌｅａｓｅ  Ｒｅｑｕｅｓｔメッセージ、またはサービス不活性メッセージ内の１つの情報要素でありうる。
【０３９８】
または、上記指示情報はデータ転送要請（ｄａｔａ  ｆｏｒｗａｒｄｉｎｇ  ｒｅｑｕｅｓｔ）メッセージまたはデータ転送要請情報要素のように他の独立的なメッセージまたは情報要素形態に転送できる。
【０３９９】
または、上記指示情報はマクロｅＮＢ１により生成されるｅｎｄ  Ｍａｒｋｅｒでありうる。
【０４００】
図２３を参照すると、上記指示情報の一例として、スモールセル１のサービス不活性のためにサービス不活性（Ｓｅｒｖｉｃｅ  Ｄｅａｃｔｉｖａｔｉｏｎ）メッセージが転送されることを見ることができる。
【０４０１】
以後、スモールセル１からスモールセル２にサービスの移動をサービングＧＷに知らせるために、Ｓ２３１１からＳ２３１５の手続が遂行される。Ｓ２３１１からＳ２３１５の手続は、図２２のＳ２２０１からＳ２２０５と同一であるので、具体的な説明は省略する。
【０４０２】
次に、上記Ｕｓｅ  Ｃａｓｅ２、即ちマクロｅＮＢのサービスのうち、少なくとも１つのサービスがＳｅＮＢに移動する場合の経路変更問題を解決するための方法について図２４を参照して説明する。
【０４０３】
図２４は、本発明で提案する異種ネットワーク環境におけるマクロ基地局からスモール基地局にサービスの移動を遂行するための方法の一例を示す流れ図である。
【０４０４】
ステップＳ２４０１からＳ２４０６は、図２０のステップＳ２００１からＳ２００６と同一であり、ステップＳ２４０８からＳ２４１２は図２２のステップＳ２２０１からステップＳ２２０５と同一であるので、具体的な説明は省略する。
【０４０５】
ステップＳ２４０６の以後、スモールセル２（または、ＳｅＮＢ２）はサービス要請に対する応答としてサービス要請ＡＣＫをマクロｅＮＢ１に転送する（Ｓ２４０７）。
【０４０６】
上記サービス要請ＡＣＫは、前述したように、スモールセルでのサービス遂行のためにスモールセルを追加するための手続と関連したメッセージであって、スモールセル追加ＡＣＫまたはＳｅＮＢ  Ａｄｄｉｔｉｏｎ  Ａｃｋｎｏｗｌｅｄｇｅとして表現されることもできる。
【０４０７】
また、上記サービス要請ＡＣＫはスモールセル２でスモールセル１から端末に提供するサービスを続いて提供するためにダウンリンクリストで変更されなければならないＥ−ＲＡＢ関連情報を含む。
【０４０８】
上記Ｅ−ＲＡＢ関連情報はダウンリンク項目で変更されなければならないＥ−ＲＡＢの情報要素に関するものであって、Ｅ−ＲＡＢを識別する（示す）Ｅ−ＲＡＢ  ＩＤ、転送階層に対するアドレスを示すＴｒａｎｓｐｏｒｔ  Ｌａｙｅｒ  Ａｄｄｒｅｓｓ、またはＧＴＰ（Ｇｅｎｅｒａｌ  Ｐａｃｋｅｔ  Ｒａｄｉｏ  Ｓｅｒｖｉｃｅ  Ｔｕｎｎｅｌｌｉｎｇ  Ｐｒｏｔｏｃｏｌ）−ＴＥＩＤ（Ｔｕｎｎｅｌｌｉｎｇ  Ｅｎｄｐｏｉｎｔ  Ｉｄｅｎｔｉｆｉｅｒ）のうち、少なくとも１つを含むことができる。
【０４０９】
ステップＳ２４０８で転送するスモールセル経路情報通知メッセージには、図２２のステップＳ２２０１に含まれる情報と同一であるが、サービス変更の以後、サービスを提供するスモールセルのセルＩＤの代わりにマクロｅＮＢ１のセルＩＤが上記スモールセル経路情報通知メッセージに含まれる。
【０４１０】
次に、上記Ｕｓｅ  Ｃａｓｅ３、即ちスモール基地局からマクロ基地局にサービスが移動する場合（または、マクロ基地局にサービスがまた戻る場合）の経路変更問題を解決するための方法について図２５を参照して説明する。
【０４１１】
図２５は、本発明で提案する異種ネットワーク環境におけるスモール基地局からマクロ基地局にサービスの移動を遂行するための方法の一例を示す流れ図である。
【０４１２】
ステップＳ２５０１からＳ２５０８は、図２１のステップＳ２１０１からＳ２１０８と同一であり、ステップＳ２５１０からＳ２５１３は図２２のステップＳ２２０１からＳ２２０４と同一であるので、具体的な説明は省略する。
【０４１３】
Ｓ２５０８の以後、スモールセル１（または、ＳｅＮＢ１）はマクロｅＮＢ１にサービス不活性に対する応答として、スモールセルサービス終了を示すサービス不活性ＡＣＫを転送する（Ｓ２５０９）。上記サービス不活性ＡＣＫは必要な場合に限り転送できる。
【０４１４】
以後、スモールセル１からマクロｅＮＢ１にサービスの移動をサービングＧＷに知らせるためにＳ２５１０からＳ２５１３の手続が遂行される。Ｓ２５１０からＳ２５１３の手続は図２２のＳ２２０１からＳ２２０４手続と同一である。
【０４１５】
ここで、ステップＳ２５１０で転送するスモールセル経路情報通知メッセージには図２２のステップＳ２２０１に含まれる情報と同一であるが、サービス変更の以後、サービスを提供するスモールセルのセルＩＤの代わりにマクロｅＮＢ１のセルＩＤが上記スモールセル経路情報通知メッセージに含まれる。
【０４１６】
図２６は、本発明で提案する方法が具現できる無線装置を示す内部ブロック図である。
【０４１７】
ここで、上記無線装置は基地局及び端末であり、その他にもＭＭＥ、Ｓｅｒｖｉｎｇ  ＧＷなどでありうる。
【０４１８】
基地局は、マクロ基地局及びスモール基地局を全て含む。
【０４１９】
図２６に示すように、基地局２６１０及び端末２６２０は、通信部（送受信部、ＲＦユニット）２６１３、２６２３、プロセッサ２６１１、２６２１、及びメモリ２６１２、２６２２を含む。
【０４２０】
その他にも、上記基地局及び端末は入力部及び出力部をさらに含むことができる。
【０４２１】
上記通信部２６１３、２６２３、プロセッサ２６１１、２６２１、入力部、出力部、及びメモリ２６１２、２６２２は、本発明で提案する方法を遂行するために機能的に連結されている。
【０４２２】
通信部（送受信部、またはＲＦユニット）２６１３、２６２３は、ＰＨＹプロトコル（Ｐｈｙｓｉｃａｌ  Ｌａｙｅｒ  Ｐｒｏｔｏｃｏｌ）から作られた情報を受信すれば、受信した情報をＲＦスペクトル（Ｒａｄｉｏ−Ｆｒｅｑｕｅｎｃｙ  Ｓｐｅｃｔｒｕｍ）に移して、フィルタリング（Ｆｉｌｔｅｒｉｎｇ）、増幅（Ａｍｐｌｉｆｉｃａｔｉｏｎ）などを遂行してアンテナに送信する。また、通信部はアンテナで受信されるＲＦ信号（Ｒａｄｉｏ  Ｆｒｅｑｕｅｎｃｙ  Ｓｉｇｎａｌ）をＰＨＹプロトコルで処理可能な帯域に移して、フィルタリングを遂行する機能をする。
【０４２３】
そして、通信部はこのような送信と受信機能を切換するためのスイッチ（Ｓｗｉｔｃｈ）機能も含むことができる。
【０４２４】
プロセッサ２６１１、２６２１は本発明で提案された機能、過程及び／又は方法を具現する。無線インターフェースプロトコルの階層はプロセッサにより具現できる。
【０４２５】
上記プロセッサは、制御部、ｃｏｎｔｒｏｌｌｅｒ、制御ユニット、コンピュータなどで表現されることもできる。
【０４２６】
メモリ２６１２、２６２２はプロセッサと連結されて、スモールセル追加手続を遂行するためのプロトコルやパラメータを格納する。
【０４２７】
プロセッサ２６１１、２６２１は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、及び／又はデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体、及び／又は他の格納装置を含むことができる。通信部は、無線信号を処理するためのベースバンド回路を含むことができる。実施形態がソフトウェアで具現される時、前述した技法は前述した機能を遂行するモジュール（過程、機能など）で具現できる。
【０４２８】
モジュールはメモリに格納され、プロセッサにより実行できる。メモリはプロセッサの内部または外部にあることができ、よく知られた多様な手段によりプロセッサと連結できる。
【０４２９】
出力部（ディスプレイ部、または表示部）はプロセッサにより制御され、キー入力部で発生するキー入力信号及びプロセッサからの各種情報信号と共に、上記プロセッサで出力される情報を出力する。
【０４３０】
延いては、説明の便宜のために各図面を分けて説明したが、各図面に叙述されている実施形態を併合して新たな実施形態を具現するように設計することも可能である。そして、当業者の必要によって、以前に説明された実施形態を実行するためのプログラムが記録されているコンピュータにより読取可能な記録媒体を設計することも本発明の権利範囲に属する。
【０４３１】
本発明に従う異種ネットワーク環境におけるサービスの移動は、上記したように説明された実施形態の構成と方法が限定されるように適用できるものでなく、上記実施形態は多様な変形がなされるように各実施形態の全部または一部が選択的に組合わせて構成されることもできる。
【０４３２】
一方、本発明の異種ネットワーク環境におけるサービスの移動はネットワークデバイスに備えられたプロセッサが読み取ることができる記録媒体にプロセッサが読み取ることができるコードとして具現することが可能である。プロセッサが読み取ることができる記録媒体は、プロセッサにより読取できるデータが格納される全ての種類の記録装置を含む。プロセッサが読み取ることができる記録媒体の例には、ＲＯＭ、ＲＡＭ、ＣＤ−ＲＯＭ、磁気テープ、フロッピー（登録商標）ディスク、光データ格納装置などがあり、またインターネットを介しての転送などのようなキャリアウェーブの形態に具現されることも含む。
【０４３３】
また、プロセッサが読み取ることができる記録媒体はネットワークで連結されたコンピュータシステムに分散されて、分散方式によりプロセッサが読み取ることができるコードが格納及び実行できる。
【産業上の利用可能性】
【０４３４】
本発明は異種ネットワーク（Ｈｅｔｅｒｏｇｅｎｅｏｕｓ  Ｎｅｔｗｏｒｋ：ＨＮ）における二重連結（ｄｕａｌ  ｃｏｎｎｅｃｔｉｖｉｔｙ：ＤＣ）動作を用いることにある。
【符号の説明】
【０４３５】
１０    端末
２０    基地局
【図１】
0006279061.tif 000003
【図２】
0006279061.tif 000004
【図３】
0006279061.tif 000005
【図４Ａ】
0006279061.tif 000006
【図４Ｂ】
0006279061.tif 000007
【図５】
0006279061.tif 000008
【図６】
0006279061.tif 000009
【図７】
0006279061.tif 000010
【図８】
0006279061.tif 000011
【図９】
0006279061.tif 000012
【図１０】
0006279061.tif 000013
【図１１】
0006279061.tif 000014
【図１２】
0006279061.tif 000015
【図１３】
0006279061.tif 000016
【図１４】
0006279061.tif 000017
【図１５】
0006279061.tif 000018
【図１６】
0006279061.tif 000019
【図１７】
0006279061.tif 000020
【図１８】
0006279061.tif 000021
【図１９】
0006279061.tif 000022
【図２０】
0006279061.tif 000023
【図２１】
0006279061.tif 000024
【図２２】
0006279061.tif 000025
【図２３】
0006279061.tif 000026
【図２４】
0006279061.tif 000027
【図２５】
0006279061.tif 000028
【図２６】
0006279061.tif 000029